(57)【要約】【課題】中央装置等の外部装置がデータを受信するために用いられる通信回線が逼迫するのを抑えることが可能となる伝送装置を提供する。【解決手段】伝送装置は、移動通信端末が送信したアップリンクデータを取得し外部装置へ伝送する。伝送装置は、前記移動通信端末が送信したアップリンクデータを取得する取得部と、前記取得部が取得した前記アップリンクデータを前記外部装置へ送信するための通信制御を実行可能な制御部と、を備え、前記制御部は、前記アップリンクデータのうちのヘッダ部を除くデータの少なくとも一部を削除するか否かを判定する判定処理、又は、前記アップリンクデータを前記外部装置へ送信するか否かを判定する判定処理を行う。【選択図】      図１
2020198120.tif 000002
【特許請求の範囲】
【請求項１】
移動通信端末が送信したアップリンクデータを取得し外部装置へ伝送する伝送装置であって、
前記移動通信端末が送信したアップリンクデータを取得する取得部と、
前記取得部が取得した前記アップリンクデータを前記外部装置へ送信するための通信制御を実行可能な制御部と、を備え、
前記制御部は、前記アップリンクデータのうちのヘッダ部を除くデータの少なくとも一部を削除するか否かを判定する判定処理、又は、前記アップリンクデータを前記外部装置へ送信するか否かを判定する判定処理、を行うことを特徴とする伝送装置。
【請求項２】
前記制御部は、複数台の前記移動通信端末が送信したアップリンクデータであって、前記取得部によって取得された前記アップリンクデータのうち、
少なくとも一台の移動通信端末からのアップリンクデータについて、当該アップリンクデータに含まれているデータを削除するか否かを判定する前記判定処理、又は、少なくとも一台の移動通信端末からのアップリンクデータについて、前記外部装置へ送信するか否かを判定する前記判定処理、を行う請求項１に記載の伝送装置。
【請求項３】
前記制御部は、前記アップリンクデータを収集する条件を示す収集情報を取得し、この収集情報に従って前記判定処理を行う請求項１又は２に記載の伝送装置。
【請求項４】
前記外部装置には、データを集約する中央装置、及び、路側に設置される交通信号制御機が含まれており、
前記制御部は、前記中央装置へ送信するためのアップリンクデータを収集する条件を示す第１収集情報と、前記交通信号制御機へ送信するためのアップリンクデータを収集する条件を示す第２収集情報とを有し、前記外部装置に応じて前記第１収集情報と前記第２収集情報とを使い分けて前記判定処理を行う請求項３に記載の伝送装置。
【請求項５】
前記第２収集情報は、前記第１収集情報に比べて、アップリンクデータの収集率が高くなるように設定されている請求項４に記載の伝送装置。
【請求項６】
前記移動通信端末は、車両に搭載される車載機であり、
前記外部装置には、交差点に設置され端末感応制御を行う交通信号制御機が含まれており、
前記制御部は、取得されたアップリンクデータの送信元の車載機を搭載する車両が、前記交通信号制御機による前記端末感応制御の対象となる車両であるか否かに基づいて、当該アップリンクデータについて前記判定処理を行う請求項１〜５のいずれか一項に記載の伝送装置。
【請求項７】
前記取得部は、前記車両の位置及び前記交通信号制御機の信号制御情報を取得可能であり、
前記制御部は、取得されたアップリンクデータの送信元の車載機を搭載する車両が、前記交通信号制御機により端末感応制御される交通信号灯器の設置されている交差点へ流入する右折車線を走行しているか否か、及び、当該車両が従うべき前記交通信号灯器が右折可能を示す青矢印表示にあるか否かに基づいて、当該アップリンクデータについて前記判定処理を行う請求項６に記載の伝送装置。
【請求項８】
前記アップリンクデータには、車両に搭載のウインカーの作動状態を示す情報が含まれており、
前記制御部は、取得されたアップリンクデータの送信元の車載機を搭載する車両が、更に、右折のためのウインカーが作動している車両であるか否かに基づいて、当該アップリンクデータについて前記判定処理を行う請求項７に記載の伝送装置。
【請求項９】
前記アップリンクデータには、車両の位置データが含まれており、
前記制御部は、取得されたアップリンクデータの送信元の車載機を搭載する車両が、前記交通信号制御機により端末感応制御される交通信号灯器の現サイクルの黄信号開始時において危険ゾーンに存在するか否かに基づいて、当該アップリンクデータについて前記判定処理を行う請求項６〜８のいずれか一項に記載の伝送装置。
【請求項１０】
前記アップリンクデータには、車両の種別を示す種別情報が含まれており、
前記制御部は、取得されたアップリンクデータの送信元の車載機を搭載する車両が、前記交通信号制御機により端末感応制御される交通信号灯器の設置されている交差点への流入道路を走行する特定種別の車両であって、かつ、前記交通信号制御機による前記端末感応制御の対象となる車両であるか否かに基づいて、当該アップリンクデータについて前記判定処理を行う請求項６〜９のいずれか一項に記載の伝送装置。
【請求項１１】
前記アップリンクデータには、当該アップリンクデータに含まれているデータの信頼性を示す情報が含まれており、
前記制御部は、この信頼性を示す情報に基づき前記判定処理を行い、信頼性の低いデータを削除する、又は、信頼性の低いデータを含むアップリンクデータを送信しないと判定する請求項１〜１０のいずれか一項に記載の伝送装置。
【請求項１２】
前記アップリンクデータには、前記移動通信端末による位置計測の測位クラスを示す情報が含まれており、
前記制御部は、前記測位クラスを示す情報に基づき前記判定処理を行い、測位クラスが所定のクラスよりも低いアップリンクデータについて、少なくとも一部を削除する、又は、送信しないと判定する請求項１〜１１のいずれか一項に記載の伝送装置。
【請求項１３】
前記制御部は、前記アップリンクデータに含まれているデータの異常を判定すると共に、この判定の結果に応じて前記判定処理を行い、異常であるデータを削除する、又は、異常であるデータを含むアップリンクデータを送信しないと判定する請求項１〜１２のいずれか一項に記載の伝送装置。
【請求項１４】
前記移動通信端末は、車両に搭載される車載機であり、
前記アップリンクデータには、前記車載機を搭載する車両が走行した道路の情報又は走行した位置の情報が含まれており、
前記制御部は、この情報に応じて前記判定処理を行う請求項１〜１３のいずれか一項に記載の伝送装置。
【請求項１５】
前記制御部は、前記外部装置へデータを送信する際に用いられる通信回線における通信状況を取得可能であり、この通信状況に応じて、前記判定処理を行う請求項１〜１４のいずれか一項に記載の伝送装置。
【請求項１６】
前記収集情報は、前記外部装置へデータを送信する際に用いられる通信回線における通信状況に応じて異なる情報であり、
前記制御部は、この異なる収集情報に従って前記判定処理を行う請求項３に記載の伝送装置。
【請求項１７】
前記制御部は、前記アップリンクデータのうちのヘッダ部を除くデータの少なくとも一部を削除するか否かを判定する前記判定処理の結果、削除すると判定した場合に、削除されていないデータの少なくとも一部を圧縮する圧縮処理を行う請求項１〜１６のいずれか一項に記載の伝送装置。
【請求項１８】
前記制御部は、前記アップリンクデータのうちのヘッダ部を除くデータの少なくとも一部を削除するか否かを判定する前記判定処理の結果、削除しないと判定した場合に、前記アップリンクデータの少なくとも一部を圧縮する圧縮処理を行う請求項１〜１７のいずれか一項に記載の伝送装置。
【請求項１９】
前記制御部は、前記アップリンクデータを前記外部装置へ送信するか否かを判定する前記判定処理の結果、送信すると判定した場合に、当該アップリンクデータの少なくとも一部を圧縮する圧縮処理を行う請求項１〜１６のいずれか一項に記載の伝送装置。
【発明の詳細な説明】
【技術分野】
【０００１】
本発明は、走行中の車両の車載機と光信号による無線通信を行う光ビーコン、及び、車載機等の移動通信端末が送信したアップリンクデータを取得し外部装置へ伝送する伝送装置に関する。
【背景技術】
【０００２】
交通情報サービスとして、光ビーコン、電波ビーコン又はＦＭ多重放送を用いたいわゆるＶＩＣＳ（Vehicle Information and Communication System：（財）道路交通情報通信システムセンターの登録商標）が既に展開されている。
このうち、光ビーコンは、近赤外線を通信媒体とした光通信を採用しており、車載機との双方向通信が可能である。
具体的には、車両に搭載されている車載機が、プローブデータ（フローティングカーデータ又はプローブカーデータともいう）を取得すると、このプローブデータはアップリンクデータに含められ、車載機からインフラ側の光ビーコンへ送信される。
逆に、光ビーコンからは、渋滞情報、区間旅行時間情報、事象規制情報及び車線通知情報等を含むダウンリンクデータが車載機に送信されるようになっている（例えば、特許文献１参照）。
【先行技術文献】
【特許文献】
【０００３】
【特許文献１】特開２００５−２６８９２５号公報
【発明の概要】
【発明が解決しようとする課題】
【０００４】
光ビーコンは道路の各所に設置されており、各光ビーコンが受信した車載機からのアップリンクデータは中央装置に集約され、この中央装置では例えば交通信号機の信号制御や交通流を制御するための交通制御等が実行される。
中央装置が高度な信号制御や交通制御を行うためには、有効なアップリンクデータ（プローブデータ）を多く収集する必要があり、このためには、光ビーコンが受信した車載機からのアップリンクデータを中央装置へ伝送する必要がある。
【０００５】
現在では、プローブデータを含むアップリンクデータを送信可能とする車載機及びこれを受信する光ビーコンの普及率はさほど高くないため、中央装置へと伝送されるデータ量は少ないが、将来、車載機及び光ビーコンがより一層普及すると、中央装置へと伝送されるデータ量が増大することが考えられる。
このように伝送すべきデータ量が増大すると、各光ビーコンから中央装置までの間の通信回線が逼迫するおそれがあり、この場合、例えば、光ビーコン及び他の装置と、中央装置との間におけるデータ通信に、遅延等の悪影響を及ぼす可能性がある。
【０００６】
また、このような光ビーコン以外に、比較的広い通信エリアを形成する路側通信装置が交差点等の道路の各所に設置されており、各路側通信装置が、自己の通信エリア内に存在する車載機等の移動通信端末から受信したプローブデータを、情報中継装置を通じて中央装置等へ伝送する場合も同様に、通信回線が逼迫することが起こりえる。例えば、路側通信装置が有する半径約２００ｍの通信エリア内に多くの車載機が存在しており、これら車載機が送信するアップリンクデータを路側通信装置がモニタリングして受信し、受信したこれら多くのデータを、情報中継装置等の伝送装置を通じて中央装置等へ伝送する際も、例えば情報中継装置と中央装置との間において伝送するデータ量が増大し、通信回線が逼迫することが起こりえる。
【０００７】
以上のように、中央装置は高度な信号制御や交通制御を行うためには有効なアップリンクデータ（プローブデータ）を多く収集する必要があるが、中央装置へ伝送されるデータ量が多くなると、道路交通システムの通信回線が逼迫し、通信遅延等の障害が発生するおそれがある。
そこで、本発明は、中央装置等の外部装置がデータを受信するために用いられる通信回線が逼迫するのを抑えることが可能となる光ビーコン及び伝送装置を提供することを目的とする。
【課題を解決するための手段】
【０００８】
（１）本発明は、走行中の車両の車載機と光信号による無線通信を行う光ビーコンであって、前記車載機が送信したアップリンクデータを受信するための受信部と、前記アップリンクデータを外部装置へ送信するための通信制御を実行可能な制御部とを備え、前記制御部は、前記アップリンクデータのうちのヘッダ部を除くデータの少なくとも一部を削除するか否かを判定する判定処理、又は、前記アップリンクデータを前記外部装置へ送信するか否かを判定する判定処理、を行うことを特徴とする。
【０００９】
本発明によれば、車載機から受信したアップリンクデータのうち、ヘッダ部を除くデータの少なくとも一部を削除するか否かを判定し、その結果、削除することにより、外部装置（例えば中央装置）へ送信するデータ量を削減する（間引く）ことができ、外部装置がデータを受信するために用いられる通信回線が逼迫するのを抑えることが可能となる。又は、車載機から受信したアップリンクデータを外部装置（例えば中央装置）へ送信するか否かを判定し、その結果、一部のアップリンクデータを送信しないことにより（送信を間引くことにより）、外部装置がデータを受信するために用いられる通信回線が逼迫するのを抑えることが可能となる。
【００１０】
（２）また、前記制御部は、複数台の前記車載機から前記受信部を通じて受信した前記アップリンクデータのうち、少なくとも一台の車載機からのアップリンクデータについて、当該アップリンクデータに含まれているプローブデータを削除するか否かを判定する前記判定処理、又は、少なくとも一台の車載機からのアップリンクデータについて、前記外部装置へ送信するか否かを判定する前記判定処理、を行うのが好ましい。
この場合、複数台の車載機から受信したアップリンクデータのうち、少なくとも一台の車載機からのアップリンクデータについて、このアップリンクデータに含まれているプローブデータを削除して外部装置へ送信することが可能となり、外部装置へ送信するデータ量を削減することができる。又は、複数台の車載機から受信したアップリンクデータのうち、少なくとも一台の車載機からのアップリンクデータについて、外部装置へ送信しなくすることが可能となり、外部装置へ送信するデータを全体として減少させることができる。
【００１１】
（３）また、前記制御部は、前記アップリンクデータを収集する条件を示す収集情報を取得し、この収集情報に従って前記判定処理を行うのが好ましい。
この場合、アップリンクデータを収集する条件に従って、光ビーコンの制御部が前記判定処理を実行することで、前記条件に応じたデータを収集することが可能となる。
なお、収集情報の例として収集率があり、例えば収集率を５０％とする場合、５０％のデータを削除するように判定し、残りの５０％のデータを削除せずに送信することとなる。又は、５０％のデータを中央装置へ送信するように判定し、残りの５０％のデータを送信しないように判定する。
【００１２】
（４）また、前記受信部は、車両が走行する道路の複数の車線それぞれに対応して複数設けられ、前記制御部は、前記車線それぞれのために個別に前記条件が設定されている前記収集情報に従って前記判定処理を行うのが好ましい。
この場合、中央装置等の外部装置においてアップリンクデータを収集する条件（例えばアップリンクデータの収集率）を、車線毎に変えることが可能となる。例えば、アップリンクデータを収集してもあまり役に立たない車線を走行する車両の車載機からのアップリンクデータの収集を抑え、これ以外の車線を走行する車両の車載機からのアップリンクデータの収集を活発にする等、車線毎にアップリンクデータの収集率を変えることが可能となる。
【００１３】
（５）又は、前記受信部は、車両が走行する道路の複数の車線それぞれに対応して複数設けられ、前記制御部は、複数の前記車線について共通して前記条件が設定されている前記収集情報に従って前記判定処理を行うのが好ましい。
この場合、中央装置等の外部装置においてアップリンクデータを収集する条件（例えばアップリンクデータの収集率）を、車線が違っても同じとすることが可能になる。
なお、前記（４）と（５）とに関して、受信部が設けられる「道路の複数の車線」は、「道路が有している複数の車線の全部」のみを意味するのではなく、「道路が有している複数の車線の一部（但し、この一部は複数）」であってもよい。すなわち、道路は３車線を有していても、このうちの２車線にのみ受信部が設けられていてもよい。
【００１４】
（６）また、前記アップリンクデータには、当該アップリンクデータに含まれているプローブデータの信頼性を示す情報が含まれており、前記制御部は、この信頼性を示す情報に基づき前記判定処理を行い、信頼性の低いプローブデータを削除する、又は、信頼性の低いプローブデータを含むアップリンクデータを送信しないと判定するのが好ましい。
この場合、信頼性の低いプローブデータを削除することができる。又は、信頼性の低いプローブデータを含むアップリンクデータについて、前記外部装置へ送信しなくすることができる。
これにより、中央装置等の外部装置は、信頼性の高いプローブデータを収集することが可能となる。
【００１５】
（７）また、前記アップリンクデータには、前記車載機による位置計測の測位クラスを示す情報が含まれており、前記制御部は、前記測位クラスを示す情報に基づき前記判定処理を行い、測位クラスが所定のクラスよりも低いアップリンクデータについて、少なくとも一部を削除する、又は、送信しないと判定するのが好ましい。
車載機は、位置計測する際の測位クラスを示す情報を含めてアップリンクデータを光ビーコンに送信することとなり、光ビーコンの制御部は、このアップリンクデータを受信する。そこで、測位クラスが所定のクラスよりも低いアップリンクデータについては、そのうちのヘッダ部を除くデータの少なくとも一部を削除する。又は、測位クラスが所定のクラスよりも低いアップリンクデータについて、前記外部装置へ送信しなくすることができる。
これにより、中央装置等の外部装置では、測位クラスが高いデータを収集することが可能となる。
【００１６】
（８）また、前記制御部は、前記アップリンクデータに含まれているプローブデータの異常を判定すると共に、この判定の結果に応じて前記判定処理を行い、異常であるプローブデータを削除する、又は、異常であるプローブデータを含むアップリンクデータを送信しないと判定するのが好ましい。
この場合、異常なプローブデータが含まれるアップリンクデータについて、その異常であるプローブデータを削除することができる。又は、異常なプローブデータが含まれるアップリンクデータについて、前記外部装置へ送信しなくすることができる。
これにより、中央装置等の外部装置は、異常の少ない正確なプローブデータを収集することが可能となる。
【００１７】
（９）また、前記アップリンクデータには、前記車載機を搭載する車両が走行した道路の情報又は走行した位置の情報が含まれており、前記制御部は、この情報に応じて前記判定処理を行うのが好ましい。
中央装置等の外部装置は、様々な道路を走行した車両の車載機からのアップリンクデータを収集可能であるが、既に走行した道路に応じて選択的にアップリンクデータを収集することが可能となる。例えば、幹線道路を走行した車両の車載機からのアップリンクデータについては、前記判定処理の結果、削除又は送信しない処理を積極的に行い、非幹線道路を走行した車両の車載機からのアップリンクデータについては、前記判定処理の結果、削除をせずに又は送信を行って中央装置等の外部装置にできるだけ収集させることが可能となる。
【００１８】
（１０）また、前記制御部は、前記外部装置へデータを送信する際に用いられる通信回線における通信状況を取得可能であり、この通信状況に応じて、前記判定処理を行うのが好ましい。
この場合、例えば、前記通信回線の通信状況が混雑している際には、判定処理の結果、削除又は送信しない処理を積極的に行い、通信状況が比較的空いている際には、判定処理の結果、削除をせずに又は送信を行う等、通信状況に応じてアップリンクデータを送信可能となる。
【００１９】
（１１）また、前記収集情報は、前記外部装置へデータを送信する際に用いられる通信回線における通信状況に応じて異なる情報であり、前記制御部は、この異なる収集情報に従って前記判定処理を行うのが好ましい。
この場合、前記通信回線の通信状況に応じて収集情報は使い分けられ、例えば、前記通信回線の通信状況が混雑している際には、削除又は送信しない処理が積極的に行われるような収集情報に従って制御部を機能させ、通信状況が比較的空いている際には、削除をさせない又は送信を行うような収集情報に従って制御部を機能させることができる。
【００２０】
（１２）また、前記制御部は、前記アップリンクデータのうちのヘッダ部を除くデータの少なくとも一部を削除するか否かを判定する前記判定処理の結果、削除すると判定した場合に、削除されていないデータの少なくとも一部を圧縮する圧縮処理を行うのが好ましい。
この場合、外部装置（例えば中央装置）へと送信するデータ量をより一層削減することができ、外部装置がデータを受信するために用いられる通信回線が逼迫するのを抑えることが可能となる。
（１３）また、前記制御部は、前記アップリンクデータのうちのヘッダ部を除くデータの少なくとも一部を削除するか否かを判定する前記判定処理の結果、削除しないと判定した場合に、前記アップリンクデータの少なくとも一部を圧縮する圧縮処理を行うのが好ましい。
アップリンクデータのうちのヘッダ部を除くデータの少なくとも一部を削除しない場合であっても、このアップリンクデータの少なくとも一部を圧縮することにより、外部装置（例えば中央装置）へと送信するデータ量を削減することができる。
（１４）または、前記制御部は、前記アップリンクデータを前記外部装置へ送信するか否かを判定する前記判定処理の結果、送信すると判定した場合に、当該アップリンクデータの少なくとも一部を圧縮する圧縮処理を行うのが好ましい。
この場合、外部装置（例えば中央装置）へと送信するデータ量を削減することができ、外部装置がデータを受信するために用いられる通信回線が逼迫するのを抑えることが可能となる。
【００２１】
（１５）また、本発明は、移動通信端末が送信したアップリンクデータを取得し外部装置へ伝送する伝送装置であって、前記移動通信端末が送信したアップリンクデータを取得する取得部と、前記取得部が取得した前記アップリンクデータを前記外部装置へ送信するための通信制御を実行可能な制御部とを備え、前記制御部は、前記アップリンクデータのうちのヘッダ部を除くデータの少なくとも一部を削除するか否かを判定する判定処理、又は、前記アップリンクデータを前記外部装置へ送信するか否かを判定する判定処理を行うことを特徴とする。
【００２２】
本発明によれば、移動通信端末が送信したアップリンクデータを取得すると、このアップリンクデータのうち、ヘッダ部を除くデータの少なくとも一部を削除するか否かを判定し、その結果、削除することにより、外部装置へ送信するデータ量を削減する（間引く）ことができ、外部装置がデータを受信するために用いられる通信回線が逼迫するのを抑えることが可能となる。又は、移動通信端末が送信したアップリンクデータを取得すると、このアップリンクデータを外部装置へ送信するか否かを判定し、その結果、一部のアップリンクデータを送信しないことにより（送信を間引くことにより）、外部装置がデータを受信するために用いられる通信回線が逼迫するのを抑えることが可能となる。
【００２３】
（１６）また、前記伝送装置において、前記制御部は、複数台の前記移動通信端末が送信したアップリンクデータであって、前記取得部によって取得された前記アップリンクデータのうち、少なくとも一台の移動通信端末からのアップリンクデータについて、当該アップリンクデータに含まれているデータを削除するか否かを判定する前記判定処理、又は、少なくとも一台の移動通信端末からのアップリンクデータについて、前記外部装置へ送信するか否かを判定する前記判定処理を行うのが好ましい。
この場合、複数台の移動通信端末が送信したアップリンクデータであって、取得部によって取得されたアップリンクデータのうち、少なくとも一台の移動通信端末からのアップリンクデータについて、このアップリンクデータに含まれているデータを削除して外部装置へ送信することが可能となり、外部装置へ送信するデータ量を削減することができる。又は、複数台の移動通信端末が送信したアップリンクデータであって、取得部によって取得されたアップリンクデータのうち、少なくとも一台の移動通信端末からのアップリンクデータについて、外部装置へ送信しなくすることが可能となり、外部装置へ送信するデータを全体として減少させることができる。
【００２４】
（１７）また、前記伝送装置において、前記制御部は、前記アップリンクデータを収集する条件を示す収集情報を取得し、この収集情報に従って前記判定処理を行うのが好ましい。
この場合、アップリンクデータを収集する条件に従って、伝送装置の制御部が前記判定処理を実行することで、前記条件に応じたデータを収集することが可能となる。
【００２５】
（１８）そして、前記（１７）の伝送装置において、前記外部装置には、データを集約する中央装置、及び、路側に設置される交通信号制御機が含まれており、前記制御部は、前記中央装置へ送信するためのアップリンクデータを収集する条件を示す第１収集情報と、前記交通信号制御機へ送信するためのアップリンクデータを収集する条件を示す第２収集情報とを有し、前記外部装置に応じて前記第１収集情報と前記第２収集情報とを使い分けて前記判定処理を行うのが好ましい。
この場合、アップリンクデータを収集する条件を外部装置に応じて変えることができる。
【００２６】
（１９）さらに、この伝送装置において、例えば、中央装置はマクロな交通制御を行い、交通信号制御機はリアルタイム性が必要となる信号制御（端末感応制御）を行う場合、中央装置により行われるマクロな交通制御のためにはアップリンクデータの収集率は低くてもよいが、交通信号制御機により行われるリアルタイム性が必要となる信号制御（端末感応制御）のためにはアップリンクデータの収集率を高くするのが好ましい。
そこで、前記（１８）の伝送装置において、前記第２収集情報は、前記第１収集情報に比べて、アップリンクデータの収集率が高くなるように設定すればよい。
【００２７】
（２０）また、前記伝送装置において、前記移動通信端末は、車両に搭載される車載機であり、前記外部装置には、交差点に設置され端末感応制御を行う交通信号制御機が含まれており、前記制御部は、取得されたアップリンクデータの送信元の車載機を搭載する車両が、前記交通信号制御機による前記端末感応制御の対象となる車両であるか否かに基づいて、当該アップリンクデータについて前記判定処理を行うのが好ましい。
この場合、端末感応制御を行う交通信号制御機が設置されている交差点への流入道路を走行しておりこの端末感応制御の対象となる車両の車載機からのアップリンクデータについては、前記判定処理として削除しない判定又は送信する判定を行うことができ、交通信号制御機へ送信することが可能となる。この結果、このアップリンクデータに基づいて交通信号制御機は端末感応制御を行うことが可能となる。
【００２８】
（２１）また、このような判定処理を行う場合の例として、前記取得部は、前記車両の位置及び前記交通信号制御機の信号制御情報を取得可能であり、前記制御部は、取得されたアップリンクデータの送信元の車載機を搭載する車両が、前記交通信号制御機により端末感応制御される交通信号灯器の設置されている交差点へ流入する右折車線を走行しているか否か、及び、当該車両が従うべき前記交通信号灯器が右折可能を示す青矢印表示にあるか否かに基づいて、当該アップリンクデータについて前記判定処理を行うのが好ましい。
この場合、取得されたアップリンクデータの送信元の車載機を搭載する車両が、交通信号制御機により端末感応制御される交通信号灯器が設置されている交差点へ流入する右折車線を走行しており、かつ、この車両が従うべき前記交通信号灯器が右折可能を示す青矢印表示にあると、制御部は、この車両の車載機を、端末感応制御の対象となる道路領域を走行する車両の車載機として扱うことができ、この車載機のアップリンクデータについては、前記判定処理として削除しない判定又は送信する判定を行うことができ、交通信号制御機へ送信することが可能となる。この結果、このアップリンクデータに基づいて交通信号制御機は右折のための端末感応制御を行うことが可能となる。
なお、本発明に関して、例えば日本国のように、道路が左側通行である場合について説明しているが、例えば米国のように道路が右側通行の場合、本発明の前記「右折」の用語は「左折」に置き換えられる。
【００２９】
（２２）また、前記（２１）の伝送装置において、前記アップリンクデータには、車両に搭載のウインカーの作動状態を示す情報が含まれており、前記制御部は、取得されたアップリンクデータの送信元の車載機を搭載する車両が、更に、右折のためのウインカーが作動している車両であるか否かに基づいて、当該アップリンクデータについて前記判定処理を行うのが好ましい。
この場合、交通信号制御機により端末感応制御される交通信号灯器が右折可能を示す青矢印表示である際に、右折車線を走行していて、更に右折のためのウインカーが作動している車両の車載機を、端末感応制御の対象となる道路領域を走行する車両の車載機として制御部は扱うことができ、この車載機のアップリンクデータについては、前記判定処理として削除しない判定又は送信する判定を行うことができ、交通信号制御機へ送信することが可能となる。この結果、このアップリンクデータに基づいて交通信号制御機は右折のための端末感応制御を行うことが可能となる。
【００３０】
（２３）また、前記判定処理を行う場合の他の例として、前記アップリンクデータには、車両の位置データが含まれており、前記制御部は、取得されたアップリンクデータの送信元の車載機を搭載する車両が、前記交通信号制御機により端末感応制御される交通信号灯器の現サイクルの黄信号開始時において危険ゾーンに存在するか否かに基づいて、当該アップリンクデータについて前記判定処理を行うのが好ましい。
この場合、取得されたアップリンクデータの送信元の車載機を搭載する車両が、交通信号灯器の現サイクルの黄信号開始時において危険ゾーンに存在していると、制御部は、この車両の車載機を、端末感応制御の対象となる道路領域を走行する車両の車載機として扱うことができ、この車載機のアップリンクデータについては、前記判定処理として削除しない判定又は送信する判定を行うことができ、交通信号制御機へ送信することが可能となる。この結果、このアップリンクデータに基づいて交通信号制御機は、危険ゾーンに存在する車両のための端末感応制御を行うことが可能となる。
【００３１】
（２４）また、前記判定処理を行う場合の他の例として、前記アップリンクデータには、車両の種別を示す種別情報が含まれており、前記制御部は、取得されたアップリンクデータの送信元の車載機を搭載する車両が、前記交通信号制御機により端末感応制御される交通信号灯器の設置されている交差点への流入道路を走行する特定種別の車両であって、かつ、前記交通信号制御機による前記端末感応制御の対象となる車両であるか否かに基づいて、当該アップリンクデータについて前記判定処理を行うのが好ましい。
この場合、取得されたアップリンクデータの送信元の車載機を搭載する車両が、例えば、公共車両や緊急車両のような特定種別の車両である場合、制御部は、この車両の車載機を、端末感応制御の対象となる道路領域を走行する車両の車載機として扱うことができ、この車載機のアップリンクデータについては、前記判定処理として削除しない判定又は送信する判定を行うことができ、交通信号制御機へ送信することが可能となる。この結果、このアップリンクデータに基づいて交通信号制御機は、これら公共車両や緊急車両のための端末感応制御を行うことが可能となる。
【００３２】
（２５）また、前記伝送装置において、前記アップリンクデータには、当該アップリンクデータに含まれているデータの信頼性を示す情報が含まれており、前記制御部は、この信頼性を示す情報に基づき前記判定処理を行い、信頼性の低いデータを削除する、又は、信頼性の低いデータを含むアップリンクデータを送信しないと判定するのが好ましい。
この場合、信頼性の低いデータを削除することができる。又は、信頼性の低いデータを含むアップリンクデータについて、前記外部装置へ送信しなくすることができる。
これにより、外部装置は、信頼性の高いデータを収集することが可能となる。
【００３３】
（２６）また、前記伝送装置において、前記アップリンクデータには、前記移動通信端末による位置計測の測位クラスを示す情報が含まれており、前記制御部は、前記測位クラスを示す情報に基づき前記判定処理を行い、測位クラスが所定のクラスよりも低いアップリンクデータについて、少なくとも一部を削除する、又は、送信しないと判定するのが好ましい。
移動通信端末は、位置計測する際の測位クラスを示す情報を含めてアップリンクデータを送信することとなり、伝送装置は、このアップリンクデータを取得する。そこで、測位クラスが所定のクラスよりも低いアップリンクデータについては、そのうちのヘッダ部を除くデータの少なくとも一部を削除する。又は、測位クラスが所定のクラスよりも低いアップリンクデータについて、前記外部装置へ送信しなくすることができる。
これにより、外部装置では、測位クラスが高いデータを収集することが可能となる。
【００３４】
（２７）また、前記伝送装置において、前記制御部は、前記アップリンクデータに含まれているデータの異常を判定すると共に、この判定の結果に応じて前記判定処理を行い、異常であるデータを削除する、又は、異常であるデータを含むアップリンクデータを送信しないと判定するのが好ましい。
この場合、異常なデータが含まれるアップリンクデータについて、その異常であるデータを削除することができる。又は、異常なデータが含まれるアップリンクデータについて、前記外部装置へ送信しなくすることができる。
これにより、外部装置は、異常の少ない正確なデータを収集することが可能となる。
【００３５】
（２８）また、前記伝送装置において、前記移動通信端末は、車両に搭載される車載機であり、前記アップリンクデータには、前記車載機を搭載する車両が走行した道路の情報又は走行した位置の情報が含まれており、前記制御部は、この情報に応じて前記判定処理を行うのが好ましい。
中央装置等の外部装置は、様々な道路を走行した車両の車載機からのアップリンクデータを収集可能であるが、既に走行した道路に応じて選択的にアップリンクデータを収集することが可能となる。例えば、幹線道路を走行した車両の車載機からのアップリンクデータについては、前記判定処理の結果、削除又は送信しない処理を積極的に行い、非幹線道路を走行した車両の車載機からのアップリンクデータについては、前記判定処理の結果、削除をせずに又は送信を行って中央装置等の外部装置にできるだけ収集させることが可能となる。
【００３６】
（２９）また、前記伝送装置において、前記制御部は、前記外部装置へデータを送信する際に用いられる通信回線における通信状況を取得可能であり、この通信状況に応じて、前記判定処理を行うのが好ましい。
この場合、例えば、前記通信回線の通信状況が混雑している際には、判定処理の結果、削除又は送信しない処理を積極的に行い、通信状況が比較的空いている際には、判定処理の結果、削除をせずに又は送信を行う等、通信状況に応じてアップリンクデータを送信可能となる。
【００３７】
（３０）また、前記（１７）の伝送装置において、前記収集情報は、前記外部装置へデータを送信する際に用いられる通信回線における通信状況に応じて異なる情報であり、前記制御部は、この異なる収集情報に従って前記判定処理を行うのが好ましい。
この場合、前記通信回線の通信状況に応じて収集情報は使い分けられ、例えば、前記通信回線の通信状況が混雑している際には、削除又は送信しない処理が積極的に行われるような収集情報に従って制御部を機能させ、通信状況が比較的空いている際には、削除をさせない又は送信を行うような収集情報に従って制御部を機能させることができる。
【００３８】
（３１）また、前記（１５）〜（３０）の伝送装置において、前記制御部は、前記アップリンクデータのうちのヘッダ部を除くデータの少なくとも一部を削除するか否かを判定する前記判定処理の結果、削除すると判定した場合に、削除されていないデータの少なくとも一部を圧縮する圧縮処理を行うのが好ましい。
この場合、外部装置へと送信するデータ量をより一層削減することができ、外部装置がデータを受信するために用いられる通信回線が逼迫するのを抑えることが可能となる。
（３２）また、前記（１５）〜（３１）の伝送装置において、前記制御部は、前記アップリンクデータのうちのヘッダ部を除くデータの少なくとも一部を削除するか否かを判定する前記判定処理の結果、削除しないと判定した場合に、前記アップリンクデータの少なくとも一部を圧縮する圧縮処理を行うのが好ましい。
アップリンクデータのうちのヘッダ部を除くデータの少なくとも一部を削除しない場合であっても、このアップリンクデータの少なくとも一部を圧縮することにより、外部装置（例えば中央装置）へと送信するデータ量を削減することができる。
（３３）また、前記（１５）〜（３０）の伝送装置において、前記制御部は、前記アップリンクデータを前記外部装置へ送信するか否かを判定する前記判定処理の結果、送信すると判定した場合に、当該アップリンクデータの少なくとも一部を圧縮する圧縮処理を行うのが好ましい。
この場合、外部装置（例えば中央装置）へと送信するデータ量を削減することができ、外部装置がデータを受信するために用いられる通信回線が逼迫するのを抑えることが可能となる。
【発明の効果】
【００３９】
本発明によれば、アップリンクデータのうちのヘッダ部を除くデータの少なくとも一部を削除したり、一部のアップリンクデータを送信しないようにすることが可能となり、外部装置がデータを受信するために用いられる通信回線が逼迫するのを抑えることが可能となる。
【図面の簡単な説明】
【００４０】
【図１】本発明の光ビーコンを含む道路交通システム（第１の実施形態）が適用されている道路の平面図である。
【図２】光ビーコンの概略構成を示す構成図である。
【図３】光ビーコンの設置部分を上から見た道路の平面図である。
【図４】光ビーコンの通信領域を示す側面図である。
【図５】車載機が生成するアップリンクデータのフレーム構成の概略説明図である。
【図６】光ビーコンが中央装置へ送信する送信データのフレーム構成の概略説明図である。
【図７】アップリンクデータの実データ部の内容を示す説明図である。
【図８】（Ａ）は、中央装置が光ビーコンへ提供する基データを示す説明図であり、（Ｂ）は、光ビーコンが車載機へ送信するダウンリンクデータを示す説明図である。
【図９】ビーコン制御機によるデータを間引く処理を説明する説明図であり、（Ａ）は、間引く処理前のデータを示し、（Ｂ）は間引く処理後のデータを示している。
【図１０】道路の平面図である。
【図１１】本発明の光ビーコンを含む道路交通システム（第２の実施形態）が適用されている道路の平面図である。
【図１２】第２実施形態における情報中継装置等を示すブロック図である。
【図１３】情報中継装置によって行われる判定処理を示すフロー図である。
【図１４】情報中継装置が行う判定処理の変形例を説明するフロー図である。
【図１５】右折感応制御の説明図である。
【図１６】ジレンマ感応制御の説明図である。
【図１７】アップリンクデータの実データ部の内容を示す説明図である。
【発明を実施するための形態】
【００４１】
以下、図面を参照しつつ、本発明の実施形態を説明する。
〔１．  システムの全体構成〕
図１は、本発明の光ビーコンを含む道路交通システムが適用されている道路の平面図である。このシステムは、インフラ側の交通管制システムと、道路Ｒを走行する車両２０に搭載された車載機２とを備えている。
交通管制システムは、交通管制室等に設けられた中央装置３、光ビーコン４、交通信号機５及び車両検知器９を備えている。なお、本実施形態では、安全運転支援システム（ＤＳＳＳ）用の中央装置２３も設けられている。
【００４２】
交通信号機５は、赤青黄の灯色を発光する交通信号灯器（信号灯器）５ａと、この交通信号灯器５ａの灯色を制御するための交通信号制御機（信号制御機）５ｂとを有している。交通信号制御機５ｂは、通信回線６ｂによって路側のルータ１０ａ，１０ｃに接続されている。ルータ１０ａ，１０ｃは、中央装置３側のルータ１０ｂにＩＳＤＮ回線等の通信回線６ｄによって接続されている。
【００４３】
車両検知器９は、例えば車両を検知するセンサ部９ａと処理部９ｂとを備え、処理部９ｂは、センサ部９ａによる検知信号を処理することにより車両の存在を検知し、検知情報を生成する。処理部９ｂは、通信回線６ｃによって交通信号制御機５ｂに接続されている。なお、処理部９ｂと交通信号制御機５ｂとは無線通信によって接続されていてもよい。
【００４４】
中央装置３は、交通信号機５を制御するための信号制御情報（制御指令）を生成し、各交通信号制御機５ｂへ送信する。信号制御情報ｉ１は、通信回線６ｄ，６ｂを通じて、各交通信号機５の交通信号制御機５ｂへ送信される。これに対して、交通信号制御機５ｂからは、実際に行った信号制御の実績を示す実行情報ｉ２が、中央装置３へ送信される。この実行情報ｉ２は、通信回線６ｂ，６ｄを通じて、中央装置３へ送信される。
【００４５】
また、車両検知器９は、車両を検知した情報（検知情報）を生成すると、この検知情報ｉ３を中央装置３へ送信する。本実施形態では、検知情報ｉ３は、通信回線６ｃを通じて交通信号制御機５ｂへ送信されてから、さらに通信回線６ｂ，６ｄを通じて、中央装置３へ送信される。
【００４６】
光ビーコン４は、走行中の車両２０の車載機２との間で、光信号による無線通信、つまり、近赤外線を通信媒体とした光通信を行うことができると共に、光学式車両感知器としても機能する。光ビーコン４は、ビーコン制御機７と、このビーコン制御機７のセンサ用インタフェースに接続された複数（図３では４つ）のビーコンヘッド（投受光器ともいう。）８とを有している。
【００４７】
ビーコン制御機７は、通信回線６ａによってルータ１０ａに接続されている。光ビーコン４は、その設置位置の近傍を走行する車両２０の車載機２からアップリンクデータｉ４を受信する。アップリンクデータｉ４には、車両２０（車載機２）が取得したプローブデータが含まれている。
そして、ビーコン制御機７が取得したアップリンクデータ（一部又は全部）ｉ４は、通信回線６ａ，６ｄを通じて、外部装置である中央装置３へ送信される。
また、中央装置３から各光ビーコン４へは、通信回線６ｄ，６ａを通じて、ダウンリンクデータ（又は、ダウンリンクデータの基になる後述の基データ）ｉ５が送信される。
【００４８】
以上のように、通信回線６ｂによって、信号制御情報ｉ１が交通信号制御機５ｂへと送信され、実行情報ｉ２及び検知情報ｉ３が中央装置３へと送信される。さらに、通信回線６ｄによって、これら信号制御情報ｉ１、実行情報ｉ２及び検知情報ｉ３の他に、アップリンクデータｉ４が中央装置３へと送信され、さらに、ダウンリンクデータ（基データ）ｉ５が光ビーコン４へと送信される。
アップリンクデータｉ４は、道路Ｒを走行する車両２０の車載機２から送信される情報であることから、このようなアップリンクデータｉ４を送信可能となる車載機２、及び、この車載機２と通信を行う光ビーコン４の数が増えると、アップリンクデータｉ４のデータ数は多くなる。
【００４９】
すると、特に通信回線６ｄを通じて中央装置３と光ビーコン４等の機器との間で伝送されるデータ量が増え、通信回線６ｄがＩＳＤＮ回線のような伝送速度が比較的低速である回線の場合、通信回線６ｄが逼迫することが考えられる。
さらに、図１の実施形態では、中央装置３側のルータ１０ｂには、他のエリアの交通信号制御機５ｂや光ビーコン４等が接続されているルータ１０ｃが接続されていることから、ルータ１０ｂから中央装置３へと送信されるデータ量は更に増加すると考えられる。
【００５０】
そこで、本実施形態の光ビーコン４では、中央装置３がデータを受信するために用いられる通信回線（例えば通信回線６ｄ）が逼迫するのを抑えることが可能となる構成を備えている。この構成について、後に説明する。
【００５１】
〔２．  光ビーコンの構成〕
図２は、光ビーコン４の概略構成を示す構成図である。ビーコンヘッド８は、光信号の授受を行って光通信を行う光通信部１１と、ビーコンヘッド８の直下を通過する車両２０の有無を感知するための車両感知センサ部１２とを備えている。
【００５２】
光通信部１１は、送信部１３と受信部１４とを有している。
送信部１３は、光通信のための光信号を送出する投光部からなり、近赤外線よりなるダウンリンク光をダウンリンク領域ＤＡ（図４参照）に送出する機能を有している。具体的には、送信部１３は、ビーコン制御機７から送出されるダウンリンクデータ（ダウンリンクフレーム）を送信信号に変換する送信回路と、出力されたこの送信信号をダウンリンク方向の光信号に変換する発光ダイオード（ＬＥＤ）からなる発光素子とによって構成されている。このため、送信部１３は、無線通信（光通信）によりダウンリンクデータを車載機２へ送信することができる。
【００５３】
受信部１４は、車載機２からの光信号を受光する受光部からなり、アップリンク領域ＵＡ（図４参照）にある車載機２からの近赤外線よりなるアップリンク光を受光する機能を有している。具体的には、受信部１４は、フォトダイオード等からなる受光素子と、この受光素子が出力する電気信号を増幅してデジタルの信号を生成する受光回路とを備えている。そして、ビーコン制御機７は、受信部１４によって生成された信号から、アップリンクデータを生成する。このように、受信部１４は、無線通信（光通信）により車載機２が送信したアップリンクデータを受信することができる。
【００５４】
図３に示すように、光ビーコン４は、同じ方向の複数（図例では４つ）の車線Ｒ１〜Ｒ４を有する道路Ｒに設置されており、本実施形態の光ビーコン４は、車線Ｒ１〜Ｒ４それぞれに対応して設けられた複数のビーコンヘッド８と、これらのビーコンヘッド８を一括制御する制御部である１台のビーコン制御機７とを備えている。なお、道路Ｒには、４つの車線Ｒ１〜Ｒ４が設けられているが、このうちの一部（例えばＲ１〜Ｒ３）にのみビーコンヘッド８が設けられていてもよい。
【００５５】
ビーコン制御機７は、信号処理部、ＣＰＵ及びメモリなどを有するコンピュータ装置よりなり、中央装置３との双方向通信と、車載機２との路車間通信を行う通信制御部１７としての機能を有する。ビーコン制御機７は、車載機２からのアップリンクデータを、送信データとして中央装置３へ送信するための通信制御を実行可能となり、また、ダウンリンクデータを車載機２へ送信するための通信制御を実行可能となる。
また、ビーコン制御機７は、通信制御及び各種の処理のためのコンピュータプログラムを記憶装置に格納しており、このプログラムをＣＰＵが読み出して実行することにより、このＣＰＵが通信制御部１７（図２参照）、及び、後述する処理部１８（図２参照）として機能する。
【００５６】
〔３．  光ビーコンによる光信号の照射領域〕
図４は、光ビーコン４の通信領域Ａ１及び感知領域Ａ２を示す側面図である。図４に示すように、光ビーコン４の通信領域Ａ１は、ダウンリンク領域（図４において実線のハッチングを設けた領域）ＤＡと、アップリンク領域（図４において破線のハッチングを設けた領域）ＵＡとからなる。
ダウンリンク領域ＤＡ及びアップリンク領域ＵＡの正式な領域寸法は、光ビーコンに関する規約によって規定されている。
【００５７】
〔４．  車載機２について〕
車載機２は、車両２０に搭載されており、近赤外線よりなるアップリンク光ＵＬを発光する機能を有するとともに、ダウンリンク領域ＤＡに送出された近赤外線よりなるダウンリンク光ＤＬを受光する機能を有する。
車載機２は、光ビーコン４との間で光通信を行うことで、交通に関する情報や、自機の位置標定に関する情報を取得することができる。また、車載機２は、自車両の走行データとして、通過位置と通過時刻を時系列に並べた走行軌跡データであるプローブデータを生成して、このプローブデータをアップリンクデータに含めて、光ビーコン４に送信することができる。そして、このアップリンクデータが、前記アップリンク光ＵＬにより送信される。また、光ビーコン４からのダウンリンクデータが、前記ダウンリンク光ＤＬにより送信される。
【００５８】
〔５．  ダウンリンクデータについて〕
ダウンリンクデータは、光ビーコン４が車載機２に与えるデータであり、このダウンリンクデータには、プローブ管理情報が含まれている。プローブ管理情報は、車両２０（車載機２）がプローブデータを収集する条件（対象軌跡の条件）を制御するための情報である。このプローブ管理情報を受信した車載機２は、その受信時以降において、プローブデータを収集する条件（収集軌跡の内容）を、このプローブ管理情報に従って変更する。
【００５９】
例えば、プローブ管理情報には、プローブデータを生成する距離単位を指定する情報、プローブデータを生成する時間単位を指定する情報、及び、プローブデータを生成する車両状態を指定する情報のうちの少なくとも一つが含まれている。距離単位を指定する情報は、プローブデータを生成する距離間隔（例えばメートル単位）を指定する。時間単位を指定する情報は、プローブデータを生成する時間間隔（例えば秒単位）を指定する。車両状態を指定する情報は、例えば車両２０が停止した場合等のように、プローブデータを生成するイベントを指定する。
【００６０】
このように、車載機２は、ダウンリンクデータに含まれているプローブ管理情報に従って、プローブデータを生成し続け、蓄積し、このプローブデータをアップリンクデータに含めて光ビーコン４へ送信する。
【００６１】
〔６．  アップリンクデータ、送信データについて〕
図５は、車載機２が生成し送信するアップリンクデータのフレーム構成の概略説明図である。アップリンクデータには、ヘッダ部と、データＡ〜データＦ等の実データ部とが含まれる。ヘッダ部には、車線、識別情報、車両ＩＤ番号、車種・車載機種別、情報種別及び有効データ長の情報が含まれている。そして、このヘッダ部の後に実データ部が存在する。この実データ部に、車両２０の通過位置と通過時刻を時系列に並べた軌跡データ、つまり、プローブデータが格納される。
【００６２】
車載機２が生成するアップリンクデータの数（フレーム数）は、前記プローブ管理情報、及び、光ビーコン４へアップリンクデータを送信してから、次の光ビーコン４でアップリンクデータを送信するまでの距離や時間等に依存する。なお、図５では、第１〜第６のフレームが生成されている。
【００６３】
図６は、車載機２からのアップリンクデータを受けた光ビーコン４が中央装置３へ送信する送信データのフレーム構成の概略説明図である。この図６に示すように、光ビーコン４は、複数のアップリンクデータの（第１〜第６の）フレームのヘッダ部を集約し、これら複数のフレームの実データ部を連結した送信データを生成する。なお、図６では、連結したフレームのデータ長が所定の値を超えるため、フレームの分割が行われている。
【００６４】
図７は、アップリンクデータの実データ部の内容を示す説明図である。実データ部には、プローブデータとして、全般的なデータ、起点のデータ、複数（Ｎ個）の軌跡データが含まれている。走行軌跡データの数（Ｎ）の最大値は７である。
なお、アップリンクデータの実データ部の内容は、図７に示すもの以外に、図１７に示すものとすることができる。
【００６５】
〔７．  ビーコン制御機７の判定処理の説明〕
前記のとおり、光ビーコン４は、車載機２から送信されたアップリンクデータを受信すると、ビーコン制御機７は、このアップリンクデータを、送信データとして中央装置３へ送信するための制御を実行するが、この送信するための制御を実行する前に、判定処理を行う。判定処理は、前記処理部１８（図２参照）によって実行され、下記の２つの処理のいずれか一方である。
＜＜判定処理（その１）＞＞
・受信したアップリンクデータのうちのヘッダ部を除くデータの少なくとも一部を削除するか否かを判定する判定処理。
＜＜判定処理（その２）＞＞
・受信したアップリンクデータを中央装置３へ送信するか否かを判定する判定処理。
【００６６】
判定処理（その１）では、受信したアップリンクデータのうちのヘッダ部を除く実データ部の少なくとも一部を削除するか否かを判定する。そして、削除すると判定された場合、ビーコン制御機７（処理部１８）は、そのアップリンクデータのうちのヘッダ部を除く実データ部の少なくとも一部を削除する削除処理を実行する。なお、このような削除するデータの割合については、後述する収集情報に基づく。
【００６７】
また、光ビーコン４（受信部１４）は、複数台の車載機２から１又は複数のアップリンクデータを受信することとなるが、この判定処理（その１）では、ビーコン制御機７は、これら複数台の車載機２から受信したアップリンクデータのうち、少なくとも一台の車載機２からのアップリンクデータについて、このアップリンクデータに含まれている実データ部の少なくとも一部（例えば、プローブデータの全部）を削除するか否かを判定し、この判定結果に応じた削除処理を実行する。
【００６８】
例えば、図９（Ａ）は、アップリンクデータの実データ部を示している。この実データ部は、起点のデータ、軌跡データ１、軌跡データ２・・・軌跡データ７を含む。判定処理（その１）として、ビーコン制御機７が「軌跡データ１」を削除すると判定した場合、図９（Ｂ）に示すように、「軌跡データ１」を削除した送信データを生成し、この送信データを中央装置３へ送信するための制御を行う。
【００６９】
判定処理（その２）では、受信したアップリンクデータを中央装置３へ送信するか否かを判定し、送信しない（非送信）と判定した場合、ビーコン制御機７（処理部１８）は、このアップリンクデータ全体を、送信しない処理（送信中止処理）を実行する。なお、光ビーコン４（受信部１４）は、複数台の車載機２から１又は複数のアップリンクデータを受信することとなるが、この判定処理（その２）では、少なくとも一台の車載機２からのアップリンクデータについて、送信しないとする判定を行うことが可能であるが、全てのアップリンクデータについて、送信しないと判定することはない。なお、このような送信しないと判定する割合については、後述する収集情報に基づく。
【００７０】
例えば、前記のとおり、図９（Ａ）は、アップリンクデータの実データ部を示しているが、ビーコン制御機７が、このアップリンクデータを送信しないと判定すると、このアップリンクデータを全体として送信しない制御を行う。
【００７１】
ここで、ビーコン制御機７は、車載機２からアップリンクデータを受信すると、このアップリンクデータにプローブデータが含まれているか否かを、アップリンクデータのヘッダ部の情報に基づいて判定する。前記のとおり、ヘッダ部には情報種別を示す情報が含まれており、これを参照することで、プローブデータの存在を判定することができる。
そして、アップリンクデータにプローブデータが含まれていれば、ビーコン制御機７は、後述の「収集情報」に従って、アップリンクデータの一部を削除したり、全部の送信を中止したりし、中央装置３へ送信するデータを間引く処理を行う。
【００７２】
ビーコン制御機７によって中央装置３へ送信するデータを間引く処理としては、以下の手段がある。
（１）一定数毎に削除する。つまり、光ビーコンは、アップリンクデータを次々と受信することから、例えば、所要の回数に１回の割合でアップリンクデータを削除の対象とする。つまり、例えば３回に１回の割合で削除の対象とし、この３回のうちの残りの２回については、削除の対象としない。
また、この（１）の変形例として、一定数毎に送信する（削除しない）。例えば、３回（所要の回数）に１回の割合で送信し（削除せず）、この３回（所要の回数）のうちの残りの２回については、送信しない（削除する）ようにしてもよい。
（２）ランダムに削除する。又はランダムに送信する。つまり、前記所要の回数が変動する。
（３）時間的に連続しているアップリンクデータを削除する。例えば、プローブデータを含むアップリンクデータを光ビーコン４が受信してから、所要時間（ｎ秒）以内に、プローブデータを含むアップリンクデータを受信した場合には、後に受信したアップリンクデータについて削除の対象とする。
なお、前記（１）（２）において、前記所要の回数は、中央装置３から提供される後述の「収集情報」に基づく。また、前記（３）において、所要時間は、中央装置３から提供される後述の「収集情報」に基づく。
（４）曜日（祝祭日を含む）、時間帯に応じて収集情報（収集率）を変更する。例えば、平日の通勤時間帯（例えば６：００〜１０：００、１７：００〜２１：００）では、車両の台数が多いことから、積極的にデータを間引いて収集率を低くする。これに対して、その他の時間帯では、車両の台数が少なくなることから、収集率を高くする。
【００７３】
例えば「収集情報」を収集率とし、その値を５０％とすると、一定数毎に削除（又はランダムに削除）することで、結果、５０％のデータが削除されるように判定処理が行われる。この場合、残りの５０％のデータが削除されずに中央装置３へ送信されることとなる。又は、５０％のデータを中央装置３へ送信するように判定し、残りの５０％のデータを送信しない。
なお、前記のようなデータを間引く処理（１）〜（４）のうちの複数が組み合わされて実行されてもよいが、一つのみが実行されてもよい。例えば、前記（３）の処理のみが実行されてもよい。
【００７４】
〔８．  ビーコン制御機７の機能の具体例について〕
光ビーコン４は、前記プローブ管理情報をダウンリンクデータに含めて車載機２へ送信するが、このプローブ管理情報の基になる情報は、中央装置３から提供を受ける。そして、この中央装置３が光ビーコン４へ提供する情報（基データ）には、例えばその末尾に「収集情報」が付加されている。なお、「収集情報」とは、中央装置３が光ビーコン４からアップリンクデータ（プローブデータ）を収集する条件を示す情報である。収集情報の例としては、光ビーコン４がアップリンクデータ（プローブデータ）を収集する際の収集率を示す情報や収集時間間隔を示す情報である。
【００７５】
光ビーコン４は、収集情報を含むプローブ管理情報を取得すると、この情報をダウンリンクデータに含めて車載機２へ送信するが、収集情報を付加したままとしてもよく、又は、ビーコン制御機７が編集して、この収集情報を削除してプローブ管理情報を送信してもよい。
図８（Ａ）は、中央装置３が光ビーコン４へ提供する基データを示す説明図であり、図８（Ｂ）は、光ビーコン４が車載機２へ送信するダウンリンクデータを示す説明図である。図８の場合、ビーコン制御機７が基データを編集して、収集情報を削除してプローブ管理情報を車載機２へ送信する場合を説明している。
【００７６】
以上より、ビーコン制御機７は「収集情報」を中央装置から取得し、この収集情報に従って前記判定処理（その１）又は（その２）を行う。ここでは、収集情報は収集率であり、０〜１００％の値となる。
【００７７】
前記のとおり（図３参照）ビーコンヘッド８は、四つの車線Ｒ１〜Ｒ４それぞれに１対１で対応して設置されていることから、ビーコンヘッド８に格納されている受信部１４は、複数設けられており、複数の受信部１４それぞれは、車両２０が走行する道路の四つの車線Ｒ１〜Ｒ４それぞれに１対１で対応している。
そこで、「収集情報」は、これら車線Ｒ１〜Ｒ４それぞれのために個別に条件（中央装置３が光ビーコン４からアップリンクデータを収集する条件）が設定されており、ビーコン制御機７は、個別に前記条件が設定されている「収集情報」に従って判定処理を行う。
【００７８】
例えば、図３の最も下側の車線Ｒ４では、路上駐車が多く、車両２０は他の車線Ｒ１〜Ｒ３を走行するような場合、車線Ｒ４に存在している車両２０の車載機２からアップリンデータを収集してもその意義が薄いため、車線Ｒ４に対応するビーコンヘッド８により受信したアップリンクデータについては、収集率を低く設定し（例えば０％）、他の車線Ｒ１〜Ｒ３に対応するビーコンヘッド８により受信したアップリンクデータについては、収集率を高く（例えば８０〜１００％）設定すればよい。
【００７９】
または、「収集情報」は、これら車線Ｒ１〜Ｒ４について共通して条件（中央装置３が光ビーコン４からアップリンクデータを収集する条件）が設定されていてもよい。この場合、ビーコン制御機７は、共通した条件が設定されている「収集情報」に従って判定処理を行うこととなる。この場合、中央装置３におけるアップリンクデータ（プローブデータ）の収集率を、車線が違っても同じとすることが可能になる。
【００８０】
また、アップリンクデータ（実データ部）には、このアップリンクデータに含まれているプローブデータの信頼性を示す情報が含まれている。そこで、ビーコン制御機７は、この信頼性を示す情報に基づき判定処理（その１）を行い、信頼性の低いプローブデータを削除する処理を行う。
例えば、図７又は図１７に示すように、軌道データには、時刻信頼性フラグ及び位置信頼性フラグの情報が格納されている。車載機２において、車両のエンジン始動後、ＧＰＳなどの外部の機器から時刻情報を受信して時刻修正を実施している場合、信頼性有りを意味する情報として、時刻信頼性フラグを「１」とする。信頼性の無い場合、時刻信頼性フラグを「０」とする。また、車載機２において、軌跡データを取得する際に、測位クラスで定義された条件に基づいて位置情報が得られている場合、信頼性有りを意味する情報として、位置信頼性フラグを「１」とする。信頼性の無い場合、位置信頼性フラグを「０」とする。
【００８１】
ここで、図９（Ａ）に示すように、仮に、「軌跡データ１」の時刻信頼性フラグ（又は位置信頼性フラグ）が「０」であったとする。この場合、ビーコン制御機７は、このアップリンクデータのうちのヘッダ部を除く実データ部の一部である「軌跡データ１」を削除するか否かを判定する判定処理を行い、信頼性フラグが「０」であることから、この「軌跡データ１」を削除する決定がされ、図９（Ｂ）に示すように、「軌跡データ１」が削除された送信データが生成され、これが中央装置３へ送信される。
【００８２】
または、ビーコン制御機７は、この信頼性を示す情報に基づき判定処理（その２）を行うことができ、この場合、信頼性の低いプローブデータを含むアップリンクデータについて、送信しないと判定する。図９（Ａ）の場合、このアップリンクデータには、信頼性フラグが「０」である軌跡データ（プローブデータ）が含まれているので、このアップリンクデータすべてを送信せず、破棄する。
このような信頼性に基づいて判定処理（その１）（その２）を行えば、中央装置３では、信頼性の高いプローブデータを収集することが可能となる。
【００８３】
また、アップリンクデータの実データ部には、図７又は図１７に示すように、全般的なデータの項目として、車載機２による位置計測の測位クラスを示す情報が含まれている。測位クラスは、Ｓクラス、Ａクラス、Ｂクラス、Ｃクラスの順番で測位精度が低い（ＡＳＶ準拠）。そこで、ビーコン制御機７は、測位クラスを示す情報に基づき判定処理（その１）を行い、測位クラスが所定のクラス（例えばＡクラス）よりも低いアップリンクデータについて、その少なくとも一部を削除する。
【００８４】
または、ビーコン制御機７は、測位クラスを示す情報に基づき判定処理（その２）を行い、測位クラスが所定のクラス（例えばＡクラス）よりも低いアップリンクデータについて、送信しないと判定する。この場合、測位クラスがＳクラス及びＡクラスのアップリンクデータのみが、送信データとなって中央装置３へ送信され、測位クラスがＢクラス及びＣクラスのアップリンクデータは、中央装置３へ送信されず、破棄される。
このように測位クラスに基づく判定処理（その１）（その２）を行うことにより、中央装置３は、測位クラスが高いアップリンクデータを収集することが可能となる。
【００８５】
また、ビーコン制御機７（処理部１８）は、アップリンクデータに含まれているプローブデータの異常を判定する機能を有している。
例えば、図７又は図１７に示すように、プローブデータの軌跡データには「前回からの移動距離」や「前回からの移動時間」が含まれており、これらに規定範囲の値が設定されている。このため、仮に、規定範囲外のデータが含まれている場合、ビーコン制御機７は、このプローブデータを異常と判定する。
【００８６】
そこで、ビーコン制御機７は、この異常の判定の結果に応じて判定処理（その１）を行い、異常と判定された項目を含むプローブデータを削除する判定がされると、このプローブデータが削除される。
または、ビーコン制御機７は、この異常の判定の結果に応じて判定処理（その２）を行い、異常のプローブデータが含まれるアップリンクデータについて、送信しないと判定し、破棄する。
このように、アップリンクデータに異常なプローブデータが含まれていると、その異常のプローブデータを削除することができ、または、異常なプローブデータが含まれるアップリンクデータについて、中央装置３へ送信しなくすることができ、中央装置３は、異常の少ない正確なプローブデータを収集することが可能となる。
【００８７】
また、アップリンクデータには、図７又は図１７に示すように、起点データの項目として、軌跡の最初の起点を示す情報（起点となる軌跡点の緯度・経度）が含まれている。そこで、ビーコン制御機７は、この情報に基づいて、どの方面から来た車両かを判断し、到来方向に応じて設定されている前記収集情報（収集率）を用いて、判定処理を行ってもよい。
例えば、図１０に示すように、ある交差点Ｊに流入する道路として、メイン幹線道路Ｒｍと、道幅の狭い脇道Ｒｓとが存在しているとする。この場合、メイン幹線道路Ｒｍは、通過車両数が多いことが予想されるので、収集率を低めに設定し、積極的にアップリンクデータを間引くのが好ましい。これに対して、脇道Ｒｓは、通過車両数が少ないことから、収集率を低く設定すると、中央装置３は有効なアップリンクデータを収集できない可能性がある。そこで、車両通過数が多い道路（メイン幹線道路Ｒｍ）では、車両通過数が少ない道路（脇道Ｒｓ）よりも、収集率を低く設定するのが好ましい。
【００８８】
このためには、ビーコン制御機７は、受信したアップリンクデータが、どのような道路を走行してきた車両２０の車載機２から送信されたものであるのかを判定する必要がある。そこで、アップリンクデータには、車載機２を搭載する車両２０が走行した道路の情報又は走行した位置の情報が含まれていることから、この情報に基づいて、走行した道路を判定することができる。例えば、図７又は図１７において、起点のデータの項目として、道路種別の情報が格納されており、また、起点となる軌跡点の緯度・経度の情報が格納されている。
【００８９】
そして、起点となる軌跡点の緯度・経度の情報を用いる場合、ビーコン制御機７は、光ビーコン４の設置位置周辺の道路地図の情報を備えており、アップリンクデータに含まれている、前記起点となる軌跡点（例えば、図１０のＰ１，Ｐ２）の緯度・経度の情報とマップマッチングを行うことで、走行した道路を判別することができる。そして、ビーコン制御機７は、この判別した道路の情報（走行した位置の情報）に応じて収集率を変えて、判定処理を行うことができる。
【００９０】
または、アップリンクデータには、軌跡データが含まれていることから、ビーコン制御機７は、最古の軌跡データに基づいて、そのアップリンクデータを送信した車両は、どの方面から到来した車両かを判定することができる。そして、マップマッチングを行うことにより、走行した道路を判別することができる。
【００９１】
したがって、幹線道路Ｒｍを走行した車両２０の車載機２からのアップリンクデータについては、判定処理の結果、削除又は送信しない処理を積極的に行う。これに対して、非幹線道路（脇道Ｒｓ）を走行した車両２０の車載機２からのアップリンクデータについては、判定処理の結果、削除をせずに又は送信を行って、中央装置３にできるだけ収集させることが可能となる。
以上より、中央装置３は、様々な道路を走行した車両２０の車載機２からのアップリンクデータを収集可能であるが、既に走行した道路に応じて選択的にアップリンクデータを収集することが可能となる。
【００９２】
また、ビーコン制御機７は、中央装置３へ送信データを送信するための制御として、例えば通信回線６ｄ（図１参照）の混雑状況を確認し、比較的好いている場合は、収集率に依存せずに全アップリンクデータを中央装置３へ送信する。これに対して、通信回線が混雑している場合、収集率に応じてアップリンクデータを間引いて、送信するのが好ましい。
【００９３】
このために、ビーコン制御機７は、中央装置３へデータを送信する際に用いられる通信回線における通信状況を取得する機能を有している。回線の混雑状況の確認手段は、例えば、空き時間に疎通確認を行い、応答時間が一定値以上であれば混雑しているとみなす。
そして、ビーコン制御機７は、通信回線の通信状況に応じて、判定処理（その１）又は（その２）を行えばよい。
これにより、通信回線の通信状況に応じて、効率良く、データを中央装置３へ送信することが可能となる。
【００９４】
また、収集情報（収集率）は、中央装置３へデータを送信する際に用いられる通信回線（例えば図１の通信回線６ｄ）における通信状況に応じて異なる情報であってもよい。そこで、ビーコン制御機７は、このような異なる収集情報に従って判定処理（その１）又は（その２）を行う。
この場合、通信回線の通信状況に応じて収集情報は使い分けられる。例えば、通信回線の通信状況が混雑している際には、削除又は送信しない処理が積極的に行われるような収集情報（例えば、低い収集率）に従ってビーコン制御機７を機能させる。これに対して、通信状況が比較的空いている際には、削除をさせない又は送信を行うような収集情報、例えば、高い収集率に従ってビーコン制御機７を機能させる。
【００９５】
また、光ビーコン４が設置されている地点から車両２０の走行方向前方の道路の交差点に、端末感応制御（優先制御）を行う機能を備えている交通信号機５（図１参照）が設置されている場合について説明する。この場合、車両２０から送信されるアップリンクデータに、車両の種別を示す種別情報（属性情報）やサブシステムキー情報が含まれている。なお、車両の種別としては、一般乗用車等の一般車両の他に、パトロールカー（警察車両）、消防車及び救急車等の緊急車両、及び、バス等の公共車両がある。
【００９６】
そして、前記交通信号機５の交通信号制御機５ｂにより端末感応制御がされる交通信号灯器５ａが設置されている交差点の流入道路を、緊急車両又は公共車両がこの交差点に向かって走行し、これら車両の車載機２からアップリンクデータが送信されると、このアップリンクデータを光ビーコン４のビーコン制御機７は取得する。
ビーコン制御機７は、アップリンクデータの識別情報（属性情報）を参照し、このアップリンクデータの送信元である車両が、緊急車両又は公共車両であるか否かを判別する。
【００９７】
この車両が緊急車両又は公共車両であると判別された場合、ビーコン制御機７は、このアップリンクデータを交通信号制御機５ｂへ送信する判定を行って、その後直ぐに、送信する処理を行う。これに対して、車両が緊急車両又は公共車両ではないと判別された場合、このアップリンクデータを交通信号制御機５ｂへ送信しないとする判定を行って、このアップリンクデータを破棄する。又は、車両が緊急車両又は公共車両ではないと判別された場合、つまり、一般車両であると判別された場合、この一般車両からのアップリンクデータに関して、さらに判定処理（その１）又は判定処理（その２）が行われ、例えば、このアップリンクデータの一部が削除され、残りのデータが送信データとして、中央装置３へ送信される。
【００９８】
このように、ビーコン制御機７は、アップリンクデータの送信元の車載機を搭載する車両が、前記交通信号機５（交通信号制御機５ｂにより端末感応制御される交通信号灯器５ａ）の設置されている交差点への流入道路を走行する特定種別（緊急車両又は公共車両）の車両であるか否かに基づいて、このアップリンクデータについて判定処理（その１）又は（その２）を行う。
そして、この車両２０が、例えば、公共車両や緊急車両のような特定種別の車両である場合、ビーコン制御機７は、この車両の車載機２を、端末感応制御の対象となる道路領域を走行する車両の車載機として扱うことができ、この車載機２のアップリンクデータについては、判定処理（その２）として、送信する判定を行うことができ、交通信号制御機５ｂへ送信することが可能となる。この結果、このアップリンクデータに基づいて交通信号制御機５ｂは、これら公共車両や緊急車両のための端末感応制御を行うことが可能となる。
このような感応制御によれば、交通信号灯器５ａの青信号の表示時間を延長したり、赤信号の表示時間を短縮したりすることにより、公共車両及び緊急車両を優先して交差点を通過させることが可能となる。
【００９９】
以上のような構成を備えている道路交通システムによれば、予め中央装置３によって光ビーコン４に対して、アップリンクデータ（プローブデータ）の収集条件を示す収集情報（収集率）が指定されており、光ビーコン４は、この収集情報に応じて車載機２から受信したプローブデータを間引いた上で、中央装置３へ送信することができる。
つまり、前記判定処理（その１）の場合、車載機２から受信したアップリンクデータのうち、ヘッダ部を除くデータ（実データ部）の少なくとも一部を削除（破棄）するか否かを判定し、その結果、削除することにより、中央装置３へ送信するデータ量を削減することができ、中央装置３がデータを受信するために用いられる通信回線が逼迫するのを抑えることが可能となる。
【０１００】
または、前記判定処理（その２）の場合、車載機２から受信したアップリンクデータを中央装置）へ送信するか否かを判定し、その結果、送信しないことにより、中央装置３がデータを受信するために用いられる通信回線が逼迫するのを抑えることが可能となる。
また、本実施形態では、中央装置３がアップリンクデータを収集する条件に従って、光ビーコン４のビーコン制御機７が判定処理を実行することで、中央装置３は、前記条件に応じたデータを収集することが可能となる。
【０１０１】
また、ビーコン制御機７は、アップリンクデータのうちのヘッダ部を除く実データ部の少なくとも一部を削除するか否かを判定する判定処理（その１）の結果、削除すると判定した場合に、削除されていないデータの少なくとも一部を圧縮する圧縮処理を行うことができる。
例えばアップリンクデータの実データ部の一部が、図９（Ａ）から（Ｂ）に示すように、削除された場合、残りのデータ（図９（Ｂ）に示すデータ）について、データ量を圧縮する処理を行い、この圧縮データを送信データとして、中央装置３へ送信する。
この場合、中央装置３へと送信するデータをより一層減少させることができ、中央装置３がデータを受信するために用いられる通信回線が逼迫するのを抑えることが可能となる。
【０１０２】
これに対して、判定処理（その１）の結果、削除しないと判定した場合、削除されていないアップリンクデータの少なくとも一部を圧縮する圧縮処理を行う。そして、この圧縮データを送信データとして、中央装置３へ送信する。
この場合、削除されていないアップリンクデータの少なくとも一部を圧縮することにより、中央装置３へと送信するデータ量を削減することができる。
【０１０３】
または、ビーコン制御機７は、アップリンクデータを中央装置３へ送信するか否かを判定する判定処理（その２）の結果、送信すると判定した場合に、このアップリンクデータを圧縮する圧縮処理を行うことができる。なお、この圧縮は、アップリンクデータの少なくとも一部に対して行われればよく、全部に対して行ってもよい。
この場合、中央装置３へと送信するデータ（データ量）を減少させることができ、中央装置３がデータを受信するために用いられる通信回線が逼迫するのを抑えることが可能となる。
【０１０４】
なお、前記圧縮処理は、様々な手段を用いることが可能である。圧縮処理の例として、例えば、特開２００３−２３３５７号公報、特開２００４−５４１６号公報、特開２００５−５９８２号公報、特開２００５−３９７０号公報、特開２００４−２４５８２１号公報、特開２００５−１４９４６５号公報、特開２００６−１５４４６９号公報、国際公開２００５／０３８７５２号、国際公開第２００５／０３９０５８号等に記載されている手段を用いることが可能である。
【０１０５】
なお、前記実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【０１０６】
例えば、本発明の光ビーコンは、従来型の光ビーコンの他に、伝送速度（アップリンク受信速度）が高速化された光ビーコンであってもよく、この場合、路車間の通信容量が拡大し、より多くのアップリンクデータを光ビーコンは取得することとなる。このため、これら全てのアップリンクデータを中央装置へ送信すると、通信回線がより逼迫することになるが、前記実施形態に係る光ビーコンによれば、これを抑制することが可能となる。
【０１０７】
〔９．  伝送装置を含む道路交通システム〕
図１に示す実施形態（第１の実施形態）では、道路を移動しかつ通信機能を備えた移動通信端末を、光信号による通信が可能である車載機２とし、この車載機２から送信されたアップリンクデータ（光信号）を光ビーコン４が受信し、この光ビーコン４が、受信したアップリンクデータについて前記判定処理（その１）又は（その２）を行う場合について説明した。
このような判定処理（その１）（その２）は、伝送装置である光ビーコン４以外に、道路交通システムに含まれている他の伝送装置によって行われてもよく、以下、他の伝送装置が判定処理を行う場合（第２の実施形態）について説明する。
【０１０８】
第２の実施形態では、図１１に示すように、車載機２が送信するアップリンクデータを受信する装置は、路側通信装置３０である。そして、この路側通信装置３０が受信したデータは、伝送装置である情報中継装置４０へと転送され、この情報中継装置４０は、転送されたデータを、外部装置である中央装置３及び交通信号制御機５ｂへ送信する。なお、この第２の実施形態では、車載機２と路側通信装置３０との間の無線通信は、所定の周波数帯（例えば７６０ＭＨｚ帯）の電波が用いられて行われる。そして、この第２の実施形態では、前記判定処理（その１）（その２）を情報中継装置４０が行う。
【０１０９】
すなわち、情報中継装置４０（図１２に示す後述の制御部４２）は、前記判定処理（その１）として、取得したアップリンクデータのうちのヘッダ部を除くデータの少なくとも一部を削除するか否かを判定する。例えば、図９により既に説明したように、起点データ及び軌跡データ１〜７を含むアップリンクデータのうち、軌跡データ１を削除すると判定し、軌跡データ１が削除されたアップリンクデータが、中央装置３等へ伝送される。
また、情報中継装置４０（後述の制御部４２）は、前記判定処理（その２）として、取得したアップリンクデータを外部装置へ送信するか否かを判定する。例えば、信頼性の低いデータを含むアップリンクデータについて、送信しないと判定する。図９（Ａ）の場合、アップリンクデータには、信頼性フラグが「０」である軌跡データが含まれているので、このアップリンクデータすべてを送信せず、破棄する。
【０１１０】
なお、第１の実施形態では、前記判定処理（その１）（その２）を行う光ビーコン４が、直接的に車載機２からアップリンクデータを受信して取得する構成であるのに対して、この第２の実施形態では、前記判定処理（その１）（その２）を行う情報中継装置４０（後述の通信部４１）は、直接的に車載機２からアップリンクデータを受信して取得するのではなく、路側通信装置３０を経由して、そのアップリンクデータを取得する構成であり、この点で異なる。しかし、アップリンクデータを取得して実行されるその後の判定処理等については、第１の実施形態と第２の実施形態とで同様であり、既に説明したとおりであるため、ここではその詳しい説明を省略する。
【０１１１】
また、図７又は図１７及び図９に示すアップリンクデータは、車両が所定時間又は所定距離について走行する間に複数の異なる時刻で取得した当該車両の位置を複数含む軌跡データを含む。つまり、このアップリンクデータは、車両が所定時間又は所定距離について走行する間に複数の位置が取得されて複数の軌跡データが蓄積されたデータであり、これらがまとめられて生成されたデータである。
【０１１２】
これに対して、アップリンクデータには、このような複数の軌跡データからなるデータ以外に、位置データ（例えば、緯度と経度のデータ）からなるデータがある。つまり、この位置データからなるアップリンクデータは、所定時間又は所定距離毎に車両の位置が検出されると、その検出毎に生成されるデータである。
このように位置の検出毎に生成されるデータは、生成される毎にアップリンクデータとして送信されてもよいが、このデータが複数まとめられてアップリンクデータとして生成されてから送信されてもよい。
複数のデータが複数まとめられてアップリンクデータとして送信される場合、そのアップリンクデータにはヘッダ部が付されており、情報中継装置４０は、前記判定処理（その１）として、このアップリンクデータのうちのヘッダ部を除くデータの少なくとも一部を削除するか否かを判定する。又は、前記判定処理（その２）として、このアップリンクデータを外部装置へ送信するか否かを判定する。
【０１１３】
これに対して、位置の検出毎に生成されるデータ（位置データ）が、生成される毎にアップリンクデータとして送信される場合、情報中継装置４０では、前記判定処理（その２）が行われる。そこで、以下に説明する「情報中継装置４０による判定処理」を行う対象とするアップリンクデータは、車載機２又は車両２０が所定時間又は所定距離毎に車両の位置を検出すると、その検出毎に生成されかつ生成毎に送信されるデータである場合について説明する。
【０１１４】
また、車載機２又は車両２０は、位置データを取得すると共に、走行方向（方位）を示すデータ、及び、走行速度を示すデータも取得しており、アップリンクデータには、この走行方向及び速度を示すデータも含まれる。
さらに、車載機２又は車両２０は、位置データを取得すると共に、車両２０に搭載のウインカー（方向指示器）の作動状態（オン又はオフの状態）を示すウインカー情報も取得することができ、アップリンクデータには、このウインカー情報が含まれていてもよい。
そして、車載機２は、このようなアップリンクデータを、所定の周波数帯（例えば７６０ＭＨｚ帯）の電波を用いて無線送信する。
【０１１５】
なお、車載機（移動通信端末）２が、この第２の実施形態における路側通信装置３０の通信エリア外（又は、第１の実施形態における光ビーコン４の通信エリア外）から通信エリア内へと進入する場合、車載機２は通信エリア外においても位置データを取得し蓄積していることから、路側通信装置３０（光ビーコン４）は、通信エリア内に進入した車載機２から軌跡データを取得することができる。そして、車載機（移動通信端末）２が、路側通信装置３０（光ビーコン４）の通信エリア内を移動している間、路側通信装置３０（光ビーコン４）は、位置の検出毎に生成され生成毎に送信されるデータ（位置データ）を取得することができる。
【０１１６】
〔１０．  路側通信装置３０及び情報中継装置４０の構成〕
路側通信装置３０は、道路の各所に設置されている。なお、図１１と図１とで同一の符号を付した要素は、同一の要素を示す。
路側通信装置３０は、無線通信装置からなり、所定の周波数帯（例えば７６０ＭＨｚ帯）の電波を用いて無線通信を行う機能を有している。路側通信装置３０は、光ビーコン４に比べて広域の通信エリアを有しており、例えば、半径約２００ｍの通信エリアを有している。
そして、路側通信装置３０は、この通信エリア内に存在している車載機２が送信するアップリンクデータをモニタリングして受信し取得することができる。そして、この取得したアップリンクデータを、情報中継装置４０へ送信する。
【０１１７】
情報中継装置４０は、道路の各所に設置されている。図１２は情報中継装置４０等を示すブロック図である。情報中継装置４０は、通信インタフェースからなる通信部４１と、ＣＰＵ及びメモリ等を有するマイコンからなる制御部４２とを有している。制御部４２は、通信部４１による通信制御を行う機能と、その他の処理を実行する機能とを有している。本実施形態では、この制御部４２によって前記判定処理が実行される。
通信部４１は、路側通信装置３０から送信されたデータを受信することができ、制御部４２による通信制御によって、このデータを中央装置３及び交通信号機５の交通信号制御機５ｂへ伝送することができる。
このように、情報中継装置４０は、車載機２が送信したアップリンクデータを、路側通信装置３０を介して通信部４１によって取得することができ、このアップリンクデータを外部装置である中央装置３及び交通信号制御機５ｂへ伝送するための通信制御を制御部４２が実行する。
【０１１８】
情報中継装置４０から見て、中央装置３のためのデータについては、路側のルータ１０ａ、通信回線６ｄ及び中央側のルータ１０ｂを通じて、中央装置３へ送信される。そして、交通信号制御機５ｂのためのデータについては、通信回線６ｅを通じて、交通信号機５の通信装置５１へ送信される。
なお、交通信号機５の通信装置５１は、データの送受信を行うインタフェースを備えていると共に、取得したデータを他へ送信する制御を行うことができる通信機からなる。例えば、通信装置５１は、交通信号制御機５ｂへデータを送信したり、通信回線６ｆ及びルータ１０ａ，１０ｂを通じて中央装置３へデータを送信したりする機能を有している。
【０１１９】
また、この交通信号機５の通信装置５１は、中央装置３から信号制御情報ｉ１を取得し、この情報ｉ１を交通信号制御機５ｂへ送信することができる。
さらに、情報中継装置４０の通信部４１は、中央装置３から信号制御情報ｉ１を取得することができ、後に説明するが、この信号制御情報ｉ１を用いて情報中継装置４０の制御部４２が判定処理を行う。なお、通信部４１は、信号制御情報ｉ１を、ルータ１０ａから取得する以外に、交通信号制御機５ｂから信号情報として取得することができる。
【０１２０】
各路側通信装置３０は、前記のとおり、例えば半径約２００ｍの通信エリアを有しており、この通信エリア内には多数の車載機２が存在することができ、しかも、各車載機２は例えば１００ミリ秒毎にアップリンクデータ（位置データ）を送信することができる。すると、路側通信装置３０が受信するアップリンクデータ（位置データ）は非常に多く、情報中継装置４０及び外部装置へと送信されるデータ量は膨大となり、全てのアップリンクデータを例えば中央装置３へ送信すると、通信回線６ｄが逼迫し、通信遅延等の障害が発生する。そこで、情報中継装置４０により判定処理が行われ、アップリンクデータの間引きが行われる。
【０１２１】
〔１０．  情報中継装置４０による判定処理について〕
情報中継装置４０が中央装置３から提供される情報（基データ）には、例えばその末尾に「収集情報（第１収集情報及び第２収集情報）」が付加されている。なお、この「収集情報（第１収集情報及び第２収集情報）」は、基データの末尾に付加される以外に、独立した新規のデータであってもよい。
この「収集情報」とは、中央装置３及び交通信号制御機５ｂが情報中継装置４０からアップリンクデータ（位置データ）を収集する条件を示す情報である。収集情報の例としては、情報中継装置４０がアップリンクデータを取捨選択する際の条件を示す情報や、アップリンクデータを収集する際の収集率を示す情報である。つまり、収集情報は、アップリンクデータの一部を削除したり、全部の送信を中止したりし、中央装置３及び交通信号制御機５ｂへ送信するデータを間引く条件を示す情報である。
【０１２２】
そして、情報中継装置４０の制御部４２は、この収集情報を、通信部４１を通じて取得し、この収集情報に従って判定処理を行う。
そして、この第２の実施形態では、情報中継装置４０からのアップリンクデータの送信先となる外部装置には、データを集約して管理エリア内の交通管制（マクロな交通制御）を行う中央装置３、及び、路側に設置される交通信号灯器５ａを制御する交通信号制御機５ｂ（交通信号機５）が含まれている。なお、本実施形態では、情報中継装置４０からアップリンクデータが送信される対象となる交通信号制御機５ｂは、交差点に設置されており端末感応制御を行う機能を備えている交通信号制御機である。
【０１２３】
そして、情報中継装置４０の制御部４２は、中央装置３へ送信するためのアップリンクデータを収集する条件を示す前記第１収集情報と、交通信号制御機５ｂへ送信するためのアップリンクデータを収集する条件を示す前記第２収集情報とを有しており、外部装置（中央装置３又は交通信号制御機５ｂ）に応じて、第１収集情報と第２収集情報とを使い分けて判定処理を行う。
【０１２４】
このように、第１収集情報と第２収集情報との二つの情報が使い分けられるのは、次の理由による。中央装置３は、主として、自己の管理エリア内におけるマクロな交通制御を行うのに対して、交通信号制御機５ｂは、リアルタイム性が必要となる信号制御（端末感応制御）を行う必要がある。この場合、中央装置３により行われるマクロな交通制御のためにはアップリンクデータの収集率は比較的低くてもよいが、交通信号制御機５ｂにより行われるリアルタイム性が必要となる信号制御（端末感応制御）のためにはアップリンクデータの収集率を比較的高くするのが好ましい。そこで、これら中央装置３及び各交通信号制御機５ｂにおける最終的なデータの収集率が異なるように、第１収集情報と第２収集情報との二つの情報が使い分けられており、本実施形態では、第２収集情報は、第１収集情報に比べて、アップリンクデータの収集率が高くなるように設定されている。
【０１２５】
図１３は、情報中継装置４０（制御部４２）によって行われる判定処理を示すフロー図である。情報中継装置４０は、第１収集情報に基づいて中央装置３へ送信するアップリンクデータの判定処理を行う（図１３のステップＳ１）。
例えば、第１収集情報は、取得したアップリンクデータのうちの２０％のデータを中央装置３へ送信し、他のデータ（８０％のデータ）については中央装置３へ送信しないとする条件等である。この場合、複数の車載機２それぞれから送信された多数のアップリンクデータを情報中継装置４０が取得したとしても、例えばアップリンクデータを取得した時系列順で、５台のうちの１台のみの車載機２からのアップリンクデータのみを中央装置３へ送信し、残りの４台の車載機２からのアップリンクデータを破棄する処理を行う。これにより、中央装置３へ送信するデータを全体として減少させることができる。このように、第１収集情報は、アップリンクデータの「収集率」を指定する情報であると言える。
【０１２６】
さらに、情報中継装置４０は、第２収集情報に基づいて交通信号制御機５ｂへ送信するアップリンクデータの判定処理を行う（図１３のステップＳ２〜）。なお、ステップＳ１とＳ２とは並行して行ってもよい。
前記のとおり、第２収集情報は、アップリンクデータ（位置データ）を収集する条件を示す情報であり、本実施形態に係る第２収集情報には、第１収集情報のように「収集率」を指定する情報、「右折感応制御」を行う場合の情報、「ジレンマ感応制御」を行う場合の情報、「緊急車両感応制御」を行う場合の情報、及び、「公共車両感応制御」を行う場合の情報のうちの少なくとも一つの情報が含まれている。
【０１２７】
なお、右折感応制御とは、図１５に示すように、交通信号制御機５ｂにより端末感応制御される交通信号灯器５ａが右折青矢印灯器５ｃを有しており、交差点Ｊへの流入道路の右折専用車線Ｌｒに車両２０が存在する場合に、右折青矢印灯器５ｃの右折青矢印を表示させたり、右折青矢印の表示時間を延長したりする制御方式である。この、右折感応制御によれば、交差点Ｊの右折専用車線Ｌｒの車両２０の存在を検出して、右折青矢印を表示させたり、その右折青矢印の表示時間を延長させたりすることにより、右折車両２０を効率良く交差点を通過させることができる。
【０１２８】
ジレンマ感応制御とは、図１６に示すように、交差点Ｊへの流入道路を走行する車両２０が、交通信号制御機５ｂにより端末感応制御される交通信号灯器５ａの現サイクルの黄信号開始時において危険ゾーンＥに存在する場合に、この流入道路に通行権を与えている現サイクルの青信号を継続し、存在しない場合に、この青信号を打ち切る制御方式である。また、前記危険ゾーンとは、黄信号開始時において車両２０が交差点手前で普通に停止も通過もできないジレンマゾーンと、停止も通過もできるオプションゾーンを併せたゾーンである。つまり、ジレンマ感応制御は、交差点Ｊに侵入する車両２０の運転手が、交差点手前で停止すべきか通過すべきか判断に迷う領域（ジレンマゾーン）を回避するように黄信号を表示する制御方式であり、これにより交差点Ｊにおける追突や出会い頭事故の発生を減少させることができる。
【０１２９】
図１３において、第２収集情報に「収集率」を指定する情報が設定されている場合（ステップＳ２の「Ｙｅｓ」の場合）、この「収集率」に従ってアップリンクデータの間引き処理を行う（ステップＳ２１）。例えば、収集率が５０％に設定されている場合、複数の車載機２それぞれから送信された多数のアップリンクデータを情報中継装置４０が取得したとしても、例えばアップリンクデータを取得した時系列順で、１０台のうちの５台のみの車載機２からのアップリンクデータのみを交通信号制御機５ｂへ送信し、残りの５台の車載機２からのアップリンクデータを破棄する処理を行う。これにより、５０％のアップリンクデータを残して交通信号制御機５ｂへ送信することが可能となり、交通信号制御機５ｂへ送信するデータを全体として減少させることができる。なお、第２収集情報に設定されているアップリンクデータの収集率（５０％）は、第１収集情報の収集率（２０％）に比べて高くなるように設定されている。
【０１３０】
ステップＳ２の「Ｎｏ」の場合において、第２収集情報に「右折感応制御」を行う場合の情報が設定されている場合（ステップＳ３の「Ｙｅｓ」の場合）、情報中継装置４０は、次の処理を行う。
【０１３１】
図１５において、通信部４１が、通信エリア内を走行する車両２０の位置、車両２０の走行方向（方位）、車両２０の速度及び交通信号制御機５ｂにより端末感応制御される交通信号灯器５ａの信号制御情報（各方路の信号灯色の情報）を取得すると、これらを制御部４２へ与える。なお、前記車両２０の位置は、アップリンクデータに含まれる位置データであり、車両２０の走行方向（方位）及び速度は、前記のとおり、このアップリンクデータに含まれているデータであり、位置データと共に取得されているデータである。
そして、制御部４２は、これらのデータに基づいて、このアップリンクデータの送信元である車載機２の車両２０が交差点Ｊへ流入する際の走行車線を判別する（図１３のステップＳ３１）。つまり、この車両２０が、右折感応制御を行う交通信号灯器５ａの設置されている交差点Ｊへ流入する右折専用車線Ｌｒを走行しているか否かを判別する。
【０１３２】
また、前記のとおり、制御部４２は、交通信号制御機５ｂの信号制御情報を取得していることから、この交通信号制御機５ｂにより制御される交通信号灯器５ａの現示表示を把握することができる。
そこで、制御部４２は、アップリンクデータの送信元である車両２０が右折専用車線Ｌｒを走行していると判別し（ステップＳ３１）、さらに、この判別時において、この右折車線Ｌｒを走行する車両２０が従うべき前記交通信号灯器５ａの灯色が、青信号、右折可能を示す青矢印表示、又は、青信号と青矢印表示との間の黄信号、のいずれかである場合（ステップＳ３２の「Ｙｅｓ」の場合）、このアップリンクデータをこの交通信号制御機５ｂへ送信する判定を行って、その後直ぐに、送信する処理を行う（ステップＳ３３）。これに対して、交通信号灯器５ａの灯色が、前記表示以外である場合、このアップリンクデータを交通信号制御機５ｂへ送信しないとする判定を行って、このアップリンクデータを破棄する（ステップＳ３４）。
【０１３３】
このように、制御部４２は、取得されたアップリンクデータの送信元の車載機２を搭載する車両２０が、右折感応制御を行う交通信号灯器５ａの設置されている交差点Ｊへ流入する右折専用車線Ｌｒを走行しているか否か、及び、この車両２０が従うべき交通信号灯器５ａが右折可能を示す青矢印表示等にあるか否かに基づいて、このアップリンクデータについて前記判定処理を行う。
そして、アップリンクデータの送信元の車載機２を搭載する車両２０が、右折専用車線Ｌｒを走行しており、かつ、交通信号灯器５ａが右折可能を示す青矢印表示にあると、制御部４２は、この車両２０の車載機２を、右折感応制御の対象となる道路領域を走行する車両の車載機として扱うことができ、この車載機のアップリンクデータについては、判定処理（その２）として、送信する判定を行うことができ、交通信号制御機５ｂへ送信する。この結果、このアップリンクデータに基づいて交通信号制御機５ｂは右折感応制御を行うことが可能となる。
【０１３４】
さらに、通信部４１を通じて取得したアップリンクデータに、車両２０に搭載のウインカーの作動状態を示す情報が含まれている場合、制御部４２は、このアップリンクデータの送信元の車載機２を搭載する車両２０が、更に、右折のためのウインカーが作動している車両２０であるか否かに基づいて、このアップリンクデータについて判定処理を行うことができる。
このように、情報中継装置４０が取得するアップリンクデータにウインカー情報が含まれている場合、交通信号灯器５ａが右折可能を示す青矢印表示である際に、右折専用車線Ｌｒを走行していて、更に右折のためのウインカーが作動している車両２０の車載機２を、右折感応制御の対象となる道路領域を走行する車両の車載機として、制御部４２は扱うことができる。そして、この車載機２のアップリンクデータについては、判定処理（その２）として、送信する判定を行うことができ、交通信号制御機５ｂへ送信することが可能となる。この結果、このアップリンクデータに基づいて交通信号制御機５ｂは右折感応制御を行うことが可能となる。
以上より、交通信号制御機５ｂでは、右折青矢印の表示時間を延長させることができ、右折車両を効率良く交差点を通過させることができる。
【０１３５】
また、前記のとおり、制御部４２は、通信部４１を通じて交通信号制御機５ｂの信号制御情報を取得していることから、ある車両がこの交通信号制御機５ｂにより制御される交通信号灯器５ａが設置されている交差点Ｊへの進入時刻における、当該交通信号灯器５ａの表示を予測することができる。
そこで、図１３のステップＳ３の「Ｎｏ」の場合、又は、ステップＳ３３又はＳ３４の後において、第２収集情報に「ジレンマ感応制御」を行う場合の情報が設定されている場合（ステップＳ４の「Ｙｅｓ」の場合）、制御部４２は、アップリンクデータの送信元である車載機２を搭載する車両２０（図１６参照）が、交通信号灯器５ａの現サイクルの黄信号開始時において危険ゾーンＥに存在しているか否かを判別する（図１３のステップＳ４１）。この判別は、取得したアップリンクデータに含まれている、車両の位置データ、走行方向（方位）のデータ及び速度データ、並びに、この車両が従うべき交通信号制御機５ｂの信号制御情報に基づいて行うことができる。
【０１３６】
そして、制御部４２は、アップリンクデータの送信元である車両２０が危険ゾーンＥに存在していると判別した場合（ステップＳ４１の「Ｙｅｓ」の場合）、このアップリンクデータをこの交通信号制御機５ｂへ送信する判定を行って、その後直ぐに、送信する処理を行う（ステップＳ４２）。これに対して、危険ゾーンＥに存在していないと判別された場合、このアップリンクデータをこの交通信号制御機５ｂへ送信しないとする判定を行って、このアップリンクデータを破棄する（ステップＳ４３）。
【０１３７】
このように、制御部４２は、取得されたアップリンクデータの送信元の車載機２を搭載する車両２０が、交通信号灯器５ａの設置されている交差点Ｊへの流入道路に存在している場合、この交通信号灯器５ａの現サイクルの黄信号開始時において危険ゾーンＥに存在するか否かに基づいて、アップリンクデータについて前記判定処理を行う。
そして、この車両２０が危険ゾーンＥに存在している場合、制御部４２は、この車両２０の車載機２を、ジレンマ感応制御の対象となる道路領域を走行する車両の車載機として扱うことができ、この車載機のアップリンクデータについては、判定処理（その２）として、送信する判定を行うことができ、交通信号制御機５ｂへ送信する。この結果、このアップリンクデータに基づいて交通信号制御機５ｂは、危険ゾーンＥに存在する車両２０のためのジレンマ感応制御を行うことが可能となる。
この結果、交通信号制御機５ｂでは、交差点Ｊに侵入する車両２０の運転手が停止すべきか通過すべきか判断に迷う領域（ジレンマゾーン）を回避するように黄信号を表示する制御を行い、これにより交差点Ｊにおける追突や出会い頭事故の発生を減少させることができる。
【０１３８】
図１４は、情報中継装置４０が行う判定処理の変形例を説明するフロー図である。なお、この図１４に示すフロー（処理）は、図１３に示すフロー中に取り込まれていてもよく、例えば、ステップＳ４の「Ｎｏ」の場合の後、ステップＳ４２又はＳ４３の後に行われる。
図１４に示すフローは、交通信号制御機５ｂにおいて、緊急車両感応制御及び公共車両感応制御（バス感応制御）が行われる場合である。パトロールカー（警察車両）、消防車及び救急車等の緊急車両の車載機２、及び、バス等の公共車両の車載機２は、送信するアップリンクデータに、車両の種別を示す種別情報（識別フラグ）を含ませている。
そこで、前記第２収集情報に「緊急車両感応制御及び公共車両感応制御」が設定されている場合（図１４のステップＳ５０の「Ｙｅｓ」の場合）、情報中継装置４０は以下の処理を行う。
【０１３９】
緊急車両感応制御及び公共車両感応制御を行う交通信号機５が設置されている交差点の流入道路を、緊急車両又は公共車両がこの交差点に向かって走行し、これら車両の車載機２からアップリンクデータが送信されると、このアップリンクデータを、路側通信装置３０を介して情報中継装置４０は取得する。
情報中継装置４０の制御部４２は、アップリンクデータの識別情報を参照し、このアップリンクデータの送信元である車両が、緊急車両又は公共車両であるか否かを判別する（ステップＳ５１）。
【０１４０】
この車両が緊急車両又は公共車両であると判別された場合（ステップＳ５１で「Ｙｅｓ」の場合）、このアップリンクデータをこの交通信号制御機５ｂへ送信する判定を行って、その後直ぐに、送信する処理を行う（ステップＳ５２）。これに対して、ステップＳ５１で「Ｎｏ」の場合、このアップリンクデータを交通信号制御機５ｂへ送信しないとする判定を行って、このアップリンクデータを破棄する（ステップＳ５３）。又は、このステップＳ５３の代わりに、車両が緊急車両又は公共車両ではないと判別された場合（ステップＳ５１で「Ｎｏ」の場合）、つまり、一般車両であると判別された場合、この一般車両からのアップリンクデータに関して、さらに判定処理（その１）又は判定処理（その２）が行われ、例えば、このアップリンクデータの一部が削除され、残りのデータが送信データとして、中央装置３へ送信される。
【０１４１】
このように、制御部４２は、アップリンクデータの送信元の車載機を搭載する車両が、交通信号制御機５ｂにより制御される交通信号灯器５ａの設置されている交差点への流入道路を走行する特定種別（緊急車両又は公共車両）の車両であるか否かに基づいて、このアップリンクデータについて判定処理を行う。
そして、この車両２０が、例えば、公共車両や緊急車両のような特定種別の車両である場合、制御部４２は、この車両の車載機２を、端末感応制御の対象となる道路領域を走行する車両の車載機として扱うことができ、この車載機２のアップリンクデータについては、判定処理（その２）として、送信する判定を行うことができ、交通信号制御機５ｂへ送信することが可能となる。この結果、このアップリンクデータに基づいて交通信号制御機５ｂは、これら公共車両や緊急車両のための端末感応制御を行うことが可能となる。
このような感応制御によれば、交通信号灯器５ａの青信号の表示時間を延長したり、赤信号の表示時間を短縮したりすることにより、公共車両及び緊急車両を優先して交差点を通過させることが可能となる。
【０１４２】
図１３及び図１４により説明したように、情報中継装置４０において、制御部４２は、通信部４１により取得されたアップリンクデータの送信元の車載機２を搭載する車両２０が、交通信号制御機５ｂによる端末感応制御の対象となる車両であるか否かに基づいて、このアップリンクデータについて判定処理を行うことができる。
【０１４３】
以上、第２の実施形態に係る情報中継装置４０が行う判定処理（その２）によれば、車載機２が送信したアップリンクデータを、路側通信装置３０を介して情報中継装置４０が取得すると、このアップリンクデータを交通信号制御機５ｂへ送信するか否かを判定し、その結果、一部のアップリンクデータを送信しないことにより、データの伝送量を抑え、交通信号制御機５ｂがデータを受信するために用いられる通信回線が逼迫するのを抑えることが可能となる。
また、アップリンクデータの種類に応じて、判定処理（その２）の代わりに判定処理（その１）を採用してもよく、この場合、車載機２が送信したアップリンクデータを取得すると、このアップリンクデータのうち、ヘッダ部を除くデータの少なくとも一部を削除するか否かを判定し、その結果、削除することにより、交通信号制御機５ｂへ送信するデータ量を削減する（間引く）ことができ、通信回線が逼迫するのを抑えることが可能となる。
【０１４４】
また、この第２の実施形態においても、第１の実施形態と同様に、アップリンクデータにデータの信頼性を示す情報が含まれており、制御部４２は、信頼性を示す情報に基づき判定処理を行い、信頼性の低いデータを削除する、又は、信頼性の低いデータを含むアップリンクデータを送信しないと判定することができる。
さらに、アップリンクデータに、車載機２による位置計測の測位クラスを示す情報が含まれており、制御部４２は、この測位クラスを示す情報に基づき判定処理を行い、測位クラスが所定のクラスよりも低いアップリンクデータについて、少なくとも一部を削除する、又は、送信しないと判定することができる。
さらに、制御部４２は、アップリンクデータに含まれているデータ（位置データ）の異常を判定する機能を有していてもよい。この場合、この判定の結果に応じて判定処理を行い、異常であるデータを削除する、又は、異常であるデータを含むアップリンクデータを送信しないと判定することができる。
【０１４５】
また、情報中継装置４０の制御部４２は、第１の実施形態と同様に、交通信号制御機５ｂへデータを送信する際に用いられる通信回線における通信状況を取得可能であり、この通信状況に応じて、判定処理を行ってもよい。
さらに、前記第１及び第２収集情報それぞれは、交通信号制御機５ｂへデータを送信する際に用いられる通信回線における通信状況に応じて異なる情報であってもよく、制御部４２は、この異なる収集情報に従って判定処理を行ってもよい。つまり、通信回線の通信状況が混雑している際には、削除又は送信しない処理が積極的に行われるようにし、通信状況が比較的空いている際には、削除をさせない又は送信を行うように機能させる。
また、アップリンクデータ（位置データ）を交通信号制御機５ｂへ送信する場合、第１の実施形態と同様に、制御部４２は、このデータを圧縮する圧縮処理を行ってもよい。
【０１４６】
なお、今回開示された実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
例えば、第２の実施形態では、判定処理を情報中継装置４０が行う場合について説明したが、路側通信装置３０が行ってもよい。
また、情報中継装置４０と交通信号機５の通信装置５１とを別に設置した場合について説明したが、情報中継装置４０が交通信号機５に取り込まれ、これらにより伝送装置が構成され、この伝送装置によって判定処理等が行われる構成であってもよい。
【０１４７】
前記第２の実施形態において、端末感応制御の実行の指令を、交通信号制御機５ｂが行うことが可能であるが、前記各判定処理を行う伝送装置（情報中継装置４０）が、取得したアップリンクデータに基づいて、端末感応制御の実行の指令を行ってもよい。この場合、交通信号制御機５ｂへ送信することとなったアップリンクデータにその指令信号を含ませればよい。この場合、伝送装置（情報中継装置４０）と、一方路用の交通信号機５との間に一つの通信回線を設け、アップリンクデータをシリアル通信により送信すればよい。これにより、一方路用の交通信号機５との間に、感応制御毎の通信回線を設ける必要が無くなる。なお、十字の交差点の場合、四方路のための四つの交通信号機５が必要となり、通信回線が更に多くなるが、このような通信回線を減らすことが可能となる。
【０１４８】
また、移動通信端末を、車両に搭載される車載機として説明したが、移動通信端末はこれ以外であってもよく、例えば、歩行者用の移動通信端末であってもよい。
そして、交通信号制御機５ｂにおいて実施される端末感応制御は、移動通信端末の種類、移動通信端末を搭載する移動体の種類等に応じて、適宜変更可能であり、前記実施形態で説明した制御以外のその他の感応制御についても、同様に適用可能である。
また、本発明の前記実施形態について、例えば日本国のように、道路が左側通行である場合について説明したが、例えば米国のように道路が右側通行の場合、各実施形態における「右折」の用語は「左折」に置き換えられる。
【符号の説明】
【０１４９】
２：車載機（移動通信端末）    ３：中央装置（外部装置）    ４：光ビーコン    ５：交通信号機（外部装置）    ５ａ：交通信号灯器    ５ｂ：交通信号制御機    ６ｄ：通信回線    ７：ビーコン制御機（制御部）    １４：受信部    ２０：車両    ４０：情報中継装置（伝送装置）    ４１：通信部（取得部）    ４２：制御部    Ｒ１〜Ｒ４：車線
【図１】
2020198120.tif 000003
【図２】
2020198120.tif 000004
【図３】
2020198120.tif 000005
【図４】
2020198120.tif 000006
【図５】
2020198120.tif 000007
【図６】
2020198120.tif 000008
【図７】
2020198120.tif 000009
【図８】
2020198120.tif 000010
【図９】
2020198120.tif 000011
【図１０】
2020198120.tif 000012
【図１１】
2020198120.tif 000013
【図１２】
2020198120.tif 000014
【図１３】
2020198120.tif 000015
【図１４】
2020198120.tif 000016
【図１５】
2020198120.tif 000017
【図１６】
2020198120.tif 000018
【図１７】
2020198120.tif 000019
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
移動通信端末が送信したアップリンクデータを取得し外部装置へ伝送する伝送装置であって、
前記移動通信端末が送信したアップリンクデータを取得する取得部と、
前記取得部が取得した前記アップリンクデータを前記外部装置へ送信するための通信制御を実行可能な制御部と、を備え、
前記制御部は、前記アップリンクデータのうちのヘッダ部を除くデータの少なくとも一部を削除するか否かを判定する判定処理、又は、前記アップリンクデータを前記外部装置へ送信するか否かを判定する判定処理、を行うことを特徴とする伝送装置。